(57)【要約】  【課題】  多機能携帯電話機の記憶手段が記憶するメールアドレスを該カード申込用アプリケーションソフトに自動的に組み込むことのできる簡易メールアドレス取得システムおよびそれを用いたクレジットカード発行用審査システムを提供する。【解決手段】  本発明は、多機能携帯電話機にダウンロードされる主作業アプリケーションソフトのための簡易メールアドレス取得システムにおいて、サーバー中央演算回路は、多機能携帯電話機から送られてきたメールからメールアドレスを記憶しているメールアドレス記憶手段からメールアドレスを読み出し、これを前記多機能携帯電話機に送信し、多機能携帯電話機の電話機中央演算回路は、このメールアドレスを前記主作業用アプリケーションソフトに組み込むようになっていることを特徴とする。【選択図】図１
2015148983.tif 000002
【特許請求の範囲】
【請求項１】
多機能携帯電話機にダウンロードされる主作業アプリケーションソフトのための簡易メールアドレス取得システムにおいて、
多機能携帯電話機と基幹系サーバーを備え、
前記多機能携帯電話機は、電話機中央演算回路と、該電話機中央演算回路からの指示を受けて画像を表示するモニターと、少なくとも多機能携帯電話機ＩＤデータおよびメールアドレスデータを記憶した主記憶部と、主作業を実行するための主作業用アプリケーションソフトを記憶する主作業用アプリケーションソフト記憶手段と、メール用アプリケーションソフトを記憶した送受信手段と、前記作業者の属性データ等を入力するための入力手段とを備え、
前記基幹系サーバーは、サーバー中央演算回路と、前記多機能携帯電話機から送られてきたデータから該多機能携帯電話機の多機能携帯電話機ＩＤデータおよびメールアドレスデータを記憶するメールアドレス記憶手段とを備え、
前記多機能携帯電話機の電話機中央演算回路は、前記主作業用アプリケーションソフト記憶手段から読み出した主作業用アプリケーションソフトにより、前記モニターにメールアドレス取得のための取得指示画面を表示し、作業者がこの画面からメールアドレス取得の指示を行ったとき、前記電話機中央演算回路をして、前記送受信手段からメール用アプリケーションソフトを読み出して、少なくとも多機能携帯電話機ＩＤデータおよびメールアドレスデータを有するメールを作成すると共に、前記モニターに送信のための送信画面を表示し、
作業者がこの送信画面から送信の指示を行ったとき、前記メールを前記基幹系サーバーに送信し、
前記基幹系サーバーは、前記メールを受信し、前記サーバー中央演算回路をして、前記多機能携帯電話機ＩＤに紐付けて、前記メールアドレスデータを前記メールデータ記憶手段に記憶させると共に、
電話機中央演算回路をして、再び主作業用アプリケーションソフトを読み出して、前記モニターにメールアドレス取得を実行するための取得実行画面を表示し、
作業者がこの取得実行画面からメールアドレス取得実行の指示をしたとき、前記基幹系サーバーは、このメールアドレス取得実行の指示を受けて、前記サーバー中央演算回路をして、前記メールアドレス記憶手段からメールアドレスデータを読み出し、これを前記多機能携帯電話機に送信し、
多機能携帯電話機の電話機中央演算回路は、このメールアドレスデータを前記主作業用アプリケーションソフトに組み込むようになっている
ことを特徴とする簡易メールアドレス取得システム。
【請求項２】
請求項１の簡易メールアドレス取得システムによって取得したメールアドレスデータをクレジットカード申込データに組み込んで、前記多機能携帯電話機がこれを前記基幹系サーバーに送信し、これによってクレジットカード申込データに基づき、クレジットカードの発行の審査を行うことを特徴とするクレジットカード発行用審査システム。
【請求項３】
前記多機能携帯電話機が、更に運転免許証を撮像して、少なくとも運転免許所持者の漢字氏名データを有する運転免許所持者データとし、該運転免許所持者データを前記電話機中央演算回路に送信する撮像手段、およびユーザー認証アプリケーションを記憶するユーザー認証アプリケーションメモリを備え、前記基幹系サーバーは、ユーザー認証アプリケーションを記憶した基幹系ユーザー認証アプリケーションメモリを備え、前記主記憶部は、更に、少なくとも多機能携帯電話機所持者の漢字氏名データを含む多機能携帯電話機所持者の属性データを記憶しており、前記電話機中央演算回路は、前記基幹系ユーザー認証アプリケーションメモリからのユーザー認証アプリケーションを前記ユーザー認証アプリケーションメモリにダウンロードし、このユーザー認証アプリケーションを用いて前記運転免許所持者の漢字氏名データと前記多機能携帯電話機所持者の漢字氏名データとを照合し、それらが一致するとき一致データを作成し、それらが異なっているとき不一致データを作成するようになっている請求項２のクレジットカード発行用審査システム。
【請求項４】
前記多機能携帯電話機における前記運転免許所持者データが、前記運転免許所持者の漢字氏名データの他に、運転免許所持者の住所データおよび生年月日データ、ならびに運転免許証の交付日データおよび運転免許証番号データを備え、前記多機能携帯電話機所持者の属性データが、前記多機能携帯電話機所持者の漢字氏名データの他に、その多機能携帯電話機の携帯電話番号データおよびメールアドレスデータを備えている請求項３のクレジットカード発行用審査システム。
【請求項５】
前記多機能携帯電話機の前記電話機中央演算回路は、前記不一致データを作成したとき、その旨を前記モニターに表示するようになっている請求項３または４のクレジットカード発行用審査システム。
【請求項６】
前記多機能携帯電話機から送られてきたクレジットカード申込データに基づき、クレジットカードの発行の審査を行う、クレジットカード発行用審査システムであって、前記クレジットカード申込データが、前記運転免許所持者データ、前記多機能携帯電話機所持者の属性データ、ならびに前記運転免許所持者データおよび前記多機能携帯電話機所持者の属性データ以外の多機能携帯電話機に手入力で入力されたクレジットカード申込者のその他属性データを備える請求項３または４のクレジットカード発行用審査システム。
【請求項７】
請求項１の簡易メールアドレス取得システムによって取得したメールアドレスをクレジットカード申込データに組み込んで、前記多機能携帯電話機がこれを前記基幹系サーバーに送信し、これによってクレジットカード申込データに基づき、クレジットカードの発行の審査を行うクレジットカード発行用審査システムであって、前記基幹系サーバーは、前記主作業用アプリケーションであるクレジットカード申込用アプリケーションを記憶したクレジットカード申込用アプリケーション記憶部、クレジットカード申込用画面データを記憶したクレジットカード申込用画面データ記憶部、自社情報による２４時間自動審査と、外部照会による所定時間内自動審査を行う自動審査用処理部、審査結果回答部、時間外受付再審査部、再審査結果回答部および郵送カード発行データ生成部を備えているクレジットカード発行用審査システム。
【請求項８】
顧客が前記多機能携帯電話機を操作することにより、基幹系サーバーのクレジットカード申込用画面データ記憶部からクレジットカード申込用画面データを読み出し、該多機能携帯電話機のモニターにクレジットカード申し込み用画面を表示することができるようになっており、顧客が、このクレジットカード申込用画面により前記その他属性データを入力したとき、前記クレジットカード申込用アプリケーションは、前記運転免許所持者データ、前記多機能携帯電話機所持者の属性データおよびその他属性データを合成して、クレジットカード申込データを作成し、これを前記基幹系サーバーに送信し、該基幹系サーバーは、自動審査用処理部でこのクレジットカード申込データを受け、前記所定時間内であるときには、自社情報による自動審査と外部照会による自動審査からなる通常自動審査をリアルタイムに行い、一方、前記所定時間外であるときには、リアルタイムには、自社情報による自動審査のみの暫定自動審査を行って、この暫定自動審査が否の時以外は外部照会未実施による再審査とするようになっている請求項６のクレジットカード発行用審査システム。
【請求項９】
前記基幹系サーバーは、前記暫定自動審査による審査結果が否の時以外のときであって、前記所定時間内となったとき、前記時間外受付再審査部によって前記通常自動審査と同様の自動再審査を行うようになっている請求項８のクレジットカード発行用審査システム。
【請求項１０】
前記基幹系サーバーは、前記通常自動審査および暫定自動審査が人的審査を必要とする結果であるとき、人的審査機関の端末に前記クレジットカード申込データを送信するようになっている請求項８または９のクレジットカード発行用審査システム。
【請求項１１】
前記基幹系サーバーは、少なくとも前記通常自動審査が可のとき、前記郵送カード発行データ生成部をして、クレジットカード発行データを生成するようになっている請求項８〜１０のいずれかのクレジットカード発行用審査システム。
【請求項１２】
前記基幹系サーバーは、少なくとも前記通常自動審査が可のとき、クレジットカード発行前の通信販売および／または店頭販売における立替払い契約を行うことの出来る仮カード番号を生成する仮カード番号発番部を備えている請求項８〜１０のいずれかのクレジットカード発行用審査システム。
【請求項１３】
前記基幹系サーバーの内部に配置されるか、または該基幹系サーバーに接続されて、前記仮カード番号発番部が生成した仮カード番号データを記憶する仮カード番号データ記憶手段が設けられている請求項１２のクレジットカード発行用審査システム。
【請求項１４】
前記基幹系サーバーの内部に配置されるか、または該基幹系サーバーに接続されて、前記郵送カード発行データ生成部が作成した郵送カード発行データを記憶する郵送カード発行データ記憶手段が設けられている請求項８〜１３のいずれかのクレジットカード発行用審査システム。
【請求項１５】
前記基幹系サーバーは、少なくとも前記通常自動審査が可のとき、クレジットカード発行前の通信販売および／または店頭販売における立替払い契約を行うことの出来る仮カード番号を生成する仮カード番号発番部を備えており、前記クレジットカード発行データはカード番号を有しており、このカード番号は、前記仮カード番号とは異なる番号である請求項１２のクレジットカード発行用審査システム。
【請求項１６】
前記クレジットカード発行データは、基幹系サーバーに接続された郵送カード発行装置に送信されるようになっている請求項１０または１５のクレジットカード発行用審査システム。
【請求項１７】
前記基幹系サーバーには、人的審査を行うための人的審査端末が接続されており、顧客が前記多機能携帯電話機を操作することにより、基幹系サーバーのクレジットカード申込用画面データ記憶部からクレジットカード申込用画面データを読み出し、該多機能携帯電話機のモニターにクレジットカード申し込み用画面を表示することができるようになっており、顧客が、このクレジットカード申込用画面により前記その他属性データを入力したとき、前記クレジットカード申込用アプリケーションは、前記運転免許所持者データ、前記多機能携帯電話機所持者の属性データおよびその他属性データを合成して、クレジットカード申込データを作成し、これを前記基幹系サーバーに送信し、該基幹系サーバーは、自動審査用処理部でこのクレジットカード申込データを受け、前記所定時間内であるときには、自社情報による自動審査と外部照会による自動審査からなる通常自動審査をリアルタイムに行い、この通常自動審査が可の時には、そのデータを前記仮カード番号発番部に送信し、
前記仮カード番号発番部は、前記データを受け、仮カード番号データを生成し、これを顧客の多機能携帯電話機に送信し、
一方、前記所定時間外であるときには、リアルタイムには、自社情報による自動審査のみの暫定自動審査を行って、この暫定自動審査が否の時以外は外部照会未実施による再審査とし、そのデータを仮カード番号発番部およびポイントデータ生成部に送信するとともに、前記所定時間内となったとき、前記時間外受付再審査部によって前記通常自動審査と同様の自動再審査を行うようになっており、前記仮カード番号発番部発番部は、前記データを受け、仮カード番号データを生成し、これを顧客端末に送信するが、この仮カード番号発番部は、前記再審査が可となるまで使用できないようにし、
前記基幹系サーバーは、前記通常自動審査が可のとき、および前記外部照会未実施による再審査が可のとき、郵送カード発行データ生成部をして、クレジットカード発行データを生成するようになっており、前記通常自動審査、暫定自動審査および前記外部照会未実施による再審査が人的審査を必要とする結果であるとき、前記人的審査機関の端末に前記クレジットカード申込データを送信するようになっている請求項１５のクレジットカード発行用審査システム。
【発明の詳細な説明】
【技術分野】
【０００１】
本発明は、簡易メールアドレス取得システムおよびそれを用いたクレジットカード発行用審査システムに関するものである。
【背景技術】
【０００２】
従来、磁気カードについては、金融、クレジット業界において、店舗サービスカウンタでの即時発行、ＡＴＭでの無人発行、ビューロで発行したカードを最速で届ける至急発行等が活発に行われている。
【０００３】
一方、ＩＣカードの即時発行については、磁気同様ニーズは高いものの、運用上の課題の他、技術的課題も多く、普及している状況にはない。クレジットカードやキャッシュカード等は、磁気カードに比してカード発行工程が複雑になり、かつ高いセキュリティを必要とする。そのため、従来のように顧客からのカード発行要請によりイシュアセンタで行う与信処理から以降の発行処理工程を全て発行カウンタ内の設備で行おうとすると、発行カウンタに置く設備、ソフトウエアが大規模になるという問題があった。また、セキュリティを保証するための装置（ＨＳＭ：Hardware Security Module）を公開空間である発行カウンタ内に設置するのは、処理特性上無理がある。
この問題を解決するため、登録センタで作成されたカード発行データを、通信回線を介して受信し、カード発行装置でカード発行を行うことによって、申込から短時間でカードの発行処理を行うことができ、カード発行時に必要な申込書に記載された事項に基づく情報の入力処理を不要として効率的なカードの発行処理を行うことのできるカード発行システムがある（例えば、特許文献１参照。）。
【先行技術文献】
【特許文献】
【０００４】
【特許文献１】特開２００２−２４９２０号公報
【０００５】
近年、このようなカード発行申し込みには、スマートフォンと呼ばれる多機能携帯電話機が使用される場合が多くなってきている。このように、多機能携帯電話機を用いたカード発行申し込みは、カード会社またはカード管理会社のサーバーにアクセスし、このサーバーからのカード申込用アプリケーションソフトをダウンロードし、申込用画面に必要事項を入力し、それを再び前記サーバーに出力して行う。
【０００６】
このとき、必要事項が入力された申込用画面の内容データを前記サーバーに送信するため、前記カード申込用アプリケーションソフトに前記多機能携帯電話機のメールアドレスを組み込む必要がある。このメールアドレスの組み込みは、従来、多機能電話機の入力手段を用いて行われていたが、入力ミスにより間違ったメールアドレスが入力されてしまい、サーバーからの返信ができないことが少なからずあった。
【０００７】
そこで、前記カード申込用アプリケーションソフトに、多機能携帯電話機の記憶手段が記憶するメールアドレスを該カード申込用アプリケーションソフトに自動的に組み込むプログラムを入れて、多機能携帯電話機の記憶手段が記憶するメールアドレスを該カード申込用アプリケーションソフトに自動的に組み込む技術が提案された。
【０００８】
しかしながら、前記カード申込用アプリケーションソフトに、多機能携帯電話機の記憶手段が記憶するメールアドレスを該カード申込用アプリケーションソフトに自動的に組み込むもプログラムを入れても、多機能携帯電話機の機種によっては、該多機能携帯電話機の記憶手段が記憶するメールアドレスを該カード申込用アプリケーションソフトに組み込むことを拒絶する機種がある。
【発明の開示】
【発明が解決しようとする課題】
【０００９】
そこで、本発明は、多機能携帯電話機の記憶手段が記憶するメールアドレスを該カード申込用アプリケーションソフトに自動的に組み込むことのできる簡易メールアドレス取得システムおよびそれを用いたクレジットカード発行用審査システムを提供するものである。
【課題を解決するための手段】
【００１０】
上記の目的は、本発明の下記（１）〜（１７）の構成の簡易メールアドレス取得システムおよびそれを用いたクレジットカード発行用審査システムにより達成される。
（１）
多機能携帯電話機にダウンロードされる主作業アプリケーションソフトのための簡易メールアドレス取得システムにおいて、
多機能携帯電話機と基幹系サーバーを備え、
前記多機能携帯電話機は、電話機中央演算回路と、該電話機中央演算回路からの指示を受けて画像を表示するモニターと、少なくとも多機能携帯電話機ＩＤデータおよびメールアドレスデータを記憶した主記憶部と、主作業を実行するための主作業用アプリケーションソフトを記憶する主作業用アプリケーションソフト記憶手段と、メール用アプリケーションソフトを記憶した送受信手段と、前記作業者の属性データ等を入力するための入力手段とを備え、
前記基幹系サーバーは、サーバー中央演算回路と、前記多機能携帯電話機から送られてきたデータから該多機能携帯電話機の多機能携帯電話機ＩＤデータおよびメールアドレスデータを記憶するメールアドレス記憶手段とを備え、
前記多機能携帯電話機の電話機中央演算回路は、前記主作業用アプリケーションソフト記憶手段から読み出した主作業用アプリケーションソフトにより、前記モニターにメールアドレス取得のための取得指示画面を表示し、作業者がこの画面からメールアドレス取得の指示を行ったとき、前記電話機中央演算回路をして、前記送受信手段からメール用アプリケーションソフトを読み出して、少なくとも多機能携帯電話機ＩＤデータおよびメールアドレスデータを有するメールを作成すると共に、前記モニターに送信のための送信画面を表示し、
作業者がこの送信画面から送信の指示を行ったとき、前記メールを前記基幹系サーバーに送信し、
前記基幹系サーバーは、前記メールを受信し、前記サーバー中央演算回路をして、前記多機能携帯電話機ＩＤに紐付けて、前記メールアドレスを前記空メールデータ記憶手段に記憶させると共に、
電話機中央演算回路をして、再び主作業用アプリケーションソフトを読み出して、前記モニターにメールアドレス取得を実行するための取得実行画面を表示し、
作業者がこの取得実行画面からメールアドレス取得実行の指示をしたとき、前記基幹系サーバーは、このメールアドレス取得実行の指示を受けて、前記サーバー中央演算回路をして、前記メールアドレス記憶手段からメールアドレスを読み出し、これを前記多機能携帯電話機に送信し、
多機能携帯電話機の電話機中央演算回路は、このメールアドレスを前記主作業用アプリケーションソフトに組み込むようになっている
ことを特徴とする簡易メールアドレス取得システム。
（２）
前記（１）の簡易メールアドレス取得システムによって取得したメールアドレスをクレジットカード申込データに組み込んで、前記多機能携帯電話機がこれを前記基幹系サーバーに送信し、これによってクレジットカード申込データに基づき、クレジットカードの発行の審査を行うことを特徴とするクレジットカード発行用審査システム
（３）
前記多機能携帯電話機が、更に運転免許証を撮像して、少なくとも運転免許所持者の漢字氏名データを有する運転免許所持者データとし、該運転免許所持者データを前記電話機中央演算回路に送信する撮像手段、およびユーザー認証アプリケーションを記憶するユーザー認証アプリケーションメモリを備え、前記基幹系サーバーは、ユーザー認証アプリケーションを記憶した基幹系ユーザー認証アプリケーションメモリを備え、前記主記憶部は、更に、少なくとも多機能携帯電話機所持者の漢字氏名データを含む多機能携帯電話機所持者の属性データを記憶しており、前記電話機中央演算回路は、前記基幹系ユーザー認証アプリケーションメモリからのユーザー認証アプリケーションを前記ユーザー認証アプリケーションメモリにダウンロードし、このユーザー認証アプリケーションを用いて前記運転免許所持者の漢字氏名データと前記多機能携帯電話機所持者の漢字氏名データとを照合し、それらが一致するとき一致データを作成し、それらが異なっているとき不一致データを作成するようになっている前記（２）のクレジットカード発行用審査システム。
（４）
前記多機能携帯電話機における前記運転免許所持者データが、前記運転免許所持者の漢字氏名データの他に、運転免許所持者の住所データおよび生年月日データ、ならびに運転免許証の交付日データおよび運転免許証番号データを備え、前記多機能携帯電話機所持者の属性データが、前記多機能携帯電話機所持者の漢字氏名データの他に、その多機能携帯電話機の携帯電話番号データおよびメールアドレスデータを備えている前記（３）のクレジットカード発行用審査システム。
（５）
前記多機能携帯電話機の前記電話機中央演算回路は、前記不一致データを作成したとき、その旨を前記モニターに表示するようになっている前記（３）または（４）のクレジットカード発行用審査システム。
（６）
前記多機能携帯電話機から送られてきたクレジットカード申込データに基づき、クレジットカードの発行の審査を行う、クレジットカード発行用審査システムであって、前記クレジットカード申込データが、前記運転免許所持者データ、前記多機能携帯電話機所持者の属性データ、ならびに前記運転免許所持者データおよび前記多機能携帯電話機所持者の属性データ以外の多機能携帯電話機に手入力で入力されたクレジットカード申込者のその他属性データを備える前記（３）または（４）のクレジットカード発行用審査システム。
（７）
前記（１）の簡易メールアドレス取得システムによって取得したメールアドレスをクレジットカード申込データに組み込んで、前記多機能携帯電話機がこれを前記基幹系サーバーに送信し、これによってクレジットカード申込データに基づき、クレジットカードの発行の審査を行うクレジットカード発行用審査システムであって、前記基幹系サーバーは、前記主作業用アプリケーションであるクレジットカード申込用アプリケーションを記憶したクレジットカード申込用アプリケーション記憶部、クレジットカード申込用画面データを記憶したクレジットカード申込用画面データ記憶部、自社情報による２４時間自動審査と、外部照会による所定時間内自動審査を行う自動審査用処理部、審査結果回答部、時間外受付再審査部、再審査結果回答部および郵送カード発行データ生成部を備えているクレジットカード発行用審査システム。
（８）
顧客が前記多機能携帯電話機を操作することにより、基幹系サーバーのクレジットカード申込用画面データ記憶部からクレジットカード申込用画面データを読み出し、該多機能携帯電話機のモニターにクレジットカード申し込み用画面を表示することができるようになっており、顧客が、このクレジットカード申込用画面により前記その他属性データを入力したとき、前記クレジットカード申込用アプリケーションは、前記運転免許所持者データ、前記多機能携帯電話機所持者の属性データおよびその他属性データを合成して、クレジットカード申込データを作成し、これを前記基幹系サーバーに送信し、該基幹系サーバーは、自動審査用処理部でこのクレジットカード申込データを受け、前記所定時間内であるときには、自社情報による自動審査と外部照会による自動審査からなる通常自動審査をリアルタイムに行い、一方、前記所定時間外であるときには、リアルタイムには、自社情報による自動審査のみの暫定自動審査を行って、この暫定自動審査が否の時以外は外部照会未実施による再審査とするようになっている請求項６のクレジットカード発行用審査システム。
（９）
前記基幹系サーバーは、前記暫定自動審査による審査結果が否の時以外のときであって、前記所定時間内となったとき、前記時間外受付再審査部によって前記通常自動審査と同様の自動再審査を行うようになっている前記（８）のクレジットカード発行用審査システム。
（１０）
前記基幹系サーバーは、前記通常自動審査および暫定自動審査が人的審査を必要とする結果であるとき、人的審査機関の端末に前記クレジットカード申込データを送信するようになっている前記（８）または（９）のクレジットカード発行用審査システム。
（１１）
前記基幹系サーバーは、少なくとも前記通常自動審査が可のとき、前記郵送カード発行データ生成部をして、クレジットカード発行データを生成するようになっている前記（８）〜（１０）のいずれかのクレジットカード発行用審査システム。
（１２）
前記基幹系サーバーは、少なくとも前記通常自動審査が可のとき、クレジットカード発行前の通信販売および／または店頭販売における立替払い契約を行うことの出来る仮カード番号を生成する仮カード番号発番部を備えている前記（８）〜（１０）のいずれかのクレジットカード発行用審査システム。
（１３）
前記基幹系サーバーの内部に配置されるか、または該基幹系サーバーに接続されて、前記仮カード番号発番部が生成した仮カード番号データを記憶する仮カード番号データ記憶手段が設けられている前記（１２）のクレジットカード発行用審査システム。
（１４）
前記基幹系サーバーの内部に配置されるか、または該基幹系サーバーに接続されて、前記郵送カード発行データ生成部が作成した郵送カード発行データを記憶する郵送カード発行データ記憶手段が設けられている前記（８）〜（１３）のいずれかのクレジットカード発行用審査システム。
（１５）
前記基幹系サーバーは、少なくとも前記通常自動審査が可のとき、クレジットカード発行前の通信販売および／または店頭販売における立替払い契約を行うことの出来る仮カード番号を生成する仮カード番号発番部を備えており、前記クレジットカード発行データはカード番号を有しており、このカード番号は、前記仮カード番号とは異なる番号である前記（１２）のクレジットカード発行用審査システム。
（１６）
前記クレジットカード発行データは、基幹系サーバーに接続された郵送カード発行装置に送信されるようになっている前記（１０）または（１５）のクレジットカード発行用審査システム。
（１７）
前記基幹系サーバーには、人的審査を行うための人的審査端末が接続されており、顧客が前記多機能携帯電話機を操作することにより、基幹系サーバーのクレジットカード申込用画面データ記憶部からクレジットカード申込用画面データを読み出し、該多機能携帯電話機のモニターにクレジットカード申し込み用画面を表示することができるようになっており、顧客が、このクレジットカード申込用画面により前記その他属性データを入力したとき、前記クレジットカード申込用アプリケーションは、前記運転免許所持者データ、前記多機能携帯電話機所持者の属性データおよびその他属性データを合成して、クレジットカード申込データを作成し、これを前記基幹系サーバーに送信し、該基幹系サーバーは、自動審査用処理部でこのクレジットカード申込データを受け、前記所定時間内であるときには、自社情報による自動審査と外部照会による自動審査からなる通常自動審査をリアルタイムに行い、この通常自動審査が可の時には、そのデータを前記仮カード番号発番部に送信し、
前記仮カード番号発番部は、前記データを受け、仮カード番号データを生成し、これを顧客の多機能携帯電話機に送信し、
一方、前記所定時間外であるときには、リアルタイムには、自社情報による自動審査のみの暫定自動審査を行って、この暫定自動審査が否の時以外は外部照会未実施による再審査とし、そのデータを仮カード番号発番部およびポイントデータ生成部に送信するとともに、前記所定時間内となったとき、前記時間外受付再審査部によって前記通常自動審査と同様の自動再審査を行うようになっており、前記仮カード番号発番部発番部は、前記データを受け、仮カード番号データを生成し、これを顧客端末に送信するが、この仮カード番号発番部は、前記再審査が可となるまで使用できないようにし、
前記基幹系サーバーは、前記通常自動審査が可のとき、および前記外部照会未実施による再審査が可のとき、郵送カード発行データ生成部をして、クレジットカード発行データを生成するようになっており、前記通常自動審査、暫定自動審査および前記外部照会未実施による再審査が人的審査を必要とする結果であるとき、前記人的審査機関の端末に前記クレジットカード申込データを送信するようになっている前記（１５）のクレジットカード発行用審査システム。
【発明の効果】
【００１１】
本発明の簡易メールアドレス取得システムにおいは、多機能携帯電話機により空メールをすることにより、基幹系サーバーがその多機能携帯電話機のメールアドレスを記憶し、その後の多機能携帯電話機の操作により、今度は基幹系サーバーがそのメールアドレスを再び多機能携帯電話機に戻し、主作業用アプリケーションに組み込むようにしたもので、このように容易に多機能携帯電話機のメールアドレスを取得できる。
【００１２】
また、本発明のクレジットカード発行用審査システムにおいては、前記のように多機能携帯電話機のメールアドレスをカード申込用アプリケーションソフトに自動的に組み込むことのできるので、メールアドレスを誤って入力してしまうことがなくなるので、スムースなクレジットカード発行申し込みが可能となる。
【図面の簡単な説明】
【００１３】
【図１】本発明の実施の形態による簡易メールアドレス取得システムが組み込まれたクレジットカード発行用審査システムの概要を説明するための模式図である。
【図２】メールアドレス取得の流れを示す図である。
【図３】所定時間内のクレジットカード発行用審査システムの審査（通常自動審査）の流れの概略を示した図である。
【図４】所定時間外のクレジットカード発行用審査システムの審査（自動再審査）の流れの概略を示した図である。
【図５】クレジットカード申込データの入力画面の一例を示す図である。
【図６】図５の入力画面とは異なったクレジットカード申込データの入力画面の一例を示す図である。
【発明を実施するための形態】
【００１４】
以下、添付図面を参照しつつ本発明の実施の形態による簡易メールアドレス取得システムが組み込まれたクレジットカード発行用審査システムに付いて説明する。
図１は、本発明の実施の形態によるクレジットカード発行用審査システム１０の模式図である。
【００１５】
本クレジットカード発行用審査システムは、クレジットカード申込者（以下、顧客と称することもある）が所有する多機能携帯電話機１０、およびクレジットカード申し込み用基幹系サーバー３０を備えるクレジットカード発行用審査システムである。
【００１６】
前記多機能携帯電話機（以下、端末と称することもある）１０は、電話機中央演算回路１２、タッチパネル等である入力手段１４、カメラである撮像手段１６、多機能携帯電話機保持者の漢字氏名、端末ＩＤ、携帯電話番号、携帯メールアドレス等を記憶した主メモリ１８、クレジットカード申込みアプリケーション用メモリ２０、メール用アプリケーションを記憶し、信号の送受信を行う送受信手段２２およびモニター２４を備えている。なお、前記送受信手段２２は、送信手段と受信手段が別個に構成されていても良い。そして、前記モニター２４は、タッチパネルとなっていて、入力手段の機能をも果たす。前記メール用アプリケーションは、前記送受信手段２２とは別個のメモリに記憶させてもよい。
【００１７】
前記基幹系サーバー３０は、システムセンター内にあって完全にセキュリティが保たれている。この基幹系サーバー３０は、クレジットカード申込用アプリケーションを記憶したアプリケーションデータメモリ３１、クレジットカード申込用画面データを記憶した申込用画面データ記憶部３２、自社情報による２４時間自動審査と、外部照会による所定時間内自動審査を行う自動審査用処理部３４、クレジットカードの発行が可となったときに、仮カード番号を含む仮カード番号情報を生成する仮カード番号発番部３６、審査結果回答部４０、時間外受付再審査部４２、再審査結果回答部４４および郵送カード発行データ生成部４６を備えている。前記基幹系サーバー３０は、内蔵して、あるいは外部接続された、前記多機能携帯電話機１０のメールアドレスデータを記憶するメールアドレス記憶手段４７を備えている。このメールアドレス記憶手段４７には、当該多機能携帯電話機の端末ＩＤに紐付けられて、メールアドレスデータ、登録時間が記憶されるようになっている。前記クレジットカード申込用アプリケーションには、メールアドレス簡易取得用アプリケーションが組み込まれている
【００１８】
前記多機能携帯電話機１０は、顧客の操作により、中央演算回路１２からの指示で、送受信手段２２を介して、基幹系サーバー３０のアプリケーションデータメモリ３１からクレジットカード申込用アプリケーションを受け、このアプリケーションをアプリケーション用メモリ２０に記憶する。
【００１９】
顧客が前記多機能携帯電話機１０においてクレジットカード申込用アプリケーションを起動すると、前記多機能携帯電話機１０の電話機中央演算回路１２は、前記メモリ２０から読み出したクレジットカード申込用アプリケーションにより、先ず、前記モニター２４にメールアドレス取得のための取得指示画面の第１画面Ｇ１（図２）（この画面は、クレジットカード申込用第１画面でもある）を表示する。顧客が、この第１画面Ｇ１からカードの申し込みを指示すると、第２画面が表示される。この画面により、名前、住所等を入力し、「次の項目へ」を指示すると、第３画面Ｇ３が表示される。この第３画面Ｇ３には、「メールアドレスを選ぶ」の項目が有るので、この項目を選ぶと、第４画面Ｇ４が表示される。この第４画面Ｇ４には、「空メールを送信」の項目が有るので、それを選択すると、クレジットカード申込用アプリケーションから一度抜け出て、前記送受信手段２２からメール用アプリケーションが呼び出され、該メール用アプリケーションが起動される。このメール用アプリケーションが起動されると、第５画面Ｇ５が表示される。この第５画面Ｇ５は、第３画面Ｇ３と似た画面だが、前記第５画面Ｇ５には、端末ＩＤが表示され、「送信」の項目が有るので、それを指示すると、多機能携帯電話機１０から、基幹系サーバー３０に、端末ＩＤ、メールアドレスデータおよび登録時間の情報を担時した空メールが送信される。
【００２０】
基幹系サーバー３０は、この空メールを受信すると、前記メールアドレス記憶手段４７に、前記多機能携帯電話機の端末ＩＤに紐付けて、メールアドレスデータ、登録時間を記憶する。このとき、基幹系サーバー３０は、多機能携帯電話機１０に、空メールを預かっていること、引き続き入力を続けて下さいという旨のメッセージを自動送信する。
【００２１】
前記のように空メールが送信されると、再びクレジットカード申込用アプリケーションに戻り、多機能携帯電話機１０のモニター２４には、第６画面Ｇ６が表示される。この第６画面Ｇ６で、「メールアドレスを選ぶ」の項目が選択されているのを確認して、「確定して次の項目へ」をクリックすると、多機能携帯電話機１０は、前記基幹系サーバー１０のメールアドレス記憶手段４７からメールアドレスを取得し、該メールアドレスを第７画面Ｇ７に表示すると共に、このメールアドレスを前記クレジットカード申込用アプリケーションに組み込む。
このようにして、メールアドレスをクレジットカード申込情報に簡易にかつ間違えることなく組み込むことができるようになる。
【００２２】
次に、本発明のクレジットカード発行用審査システム１０の実際の審査の手順について説明する。
前記クレジットカード申込用アプリケーションを前記多機能携帯電話機１０のアプリケーション用メモリ２０に記憶した上で、前記撮像手段１６により顧客の運転免許証を撮像すると、前記中央演算回路１２は、前記アプリケーションを用いて、運転免許証上の顔写真および運転免許所持者の属性情報を読み込み、これらを運転免許所持者データに変換する。また、前記中央演算回路１２は、前記主メモリ１８から多機能携帯電話機所持者の属性データを読み込む。そして、中央演算回路１２は、クレジットカード申込用アプリケーションを用いて、前記運転免許所持者データの内運転免許所持者の漢字氏名データと多機能携帯電話機所持者の属性データの内多機能携帯電話機所持者の漢字氏名データを比較し、それらが一致するかを判定し、一致した時には「可」の信号を、不一致の時には「否」の信号をそれぞれ作成し、それを発信する。なお、多機能携帯電話機１０の撮像手段１６から取り込む運転免許所持者の属性データとしては、上記漢字氏名データの他に、住所、生年月日、運転免許証交付日および運転免許証番号が挙げられる。
【００２３】
上記判定が不一致で「否」の信号が発信された場合には、クレジットカード申込の謝絶のためのメッセージを多機能携帯電話機１０のモニター２４に表示し、それ以上の手続が出来ないようにしてもよい。すなわち、「可」の信号が発信されたときに、クレジットカード申込の手続を続けられるようにしても良い。
【００２４】
前記のように「可」の信号が発信されたときには、前記中央演算回路１２は、基幹系サーバー３０のクレジットカード申込用画面データ記憶部３２からクレジットカード申込用画面データを読み出し、クレジットカード申込用画面を多機能携帯電話機１０のモニター２４に表示する。クレジットカード申込用画面は、このクレジットカード申込用画面の例を図５および図６に、符号３２Ａおよび３２Ｂを付して示した。これらのクレジットカード申込用画面３２Ａおよび３２Ｂは、それぞれクレジットカード申込者の属性を選択的に入力するラジオボタン欄３２Ａａおよび３２Ｂａ、ならびに通常のモニター２４上に現れるキーを用いての文字入力欄３２Ｂｂを備えている。
【００２５】
これらのクレジットカード申込用画面３２Ａおよび３２Ｂからは、クレジットカード発行に必要なクレジットカード申込者属性データの内、少なくとも運転免許所持者データおよび多機能携帯電話機所持者データを除いた属性データが追加入力される。そのため、このクレジットカード申込用画面は、例えばその申込者が会社員である場合には、図５の画面に示すように、ラジオボタン欄３２Ａａとして、住まい区分選択欄、居住年数選択欄、配偶者あり・なし選択欄、職業種別選択欄等を有し、図５に示すように、ラジオボタン欄３２Ａｂとして、職種選択欄を備えている。
また、文字入力欄３２Ｂｂとしては、図６に示すように、つとめ先名漢字・カタカナ、所属部署等の文字入力欄を備える。
【００２６】
これらのクレジットカード申込者の属性データの入力が全て完了すると、前記クレジットカード申込用アプリケーションは、これらの属性データを合成して、クレジットカード申込データを作成する。このクレジットカード申込データには、前記簡易取得した多機能携帯電話機１０のメールアドレスも含まれる。
【００２７】
このクレジットカード申込データは、多機能携帯電話機１０の主メモリ１８からの漢字氏名、携帯電話番号、携帯メールアドレス、撮像した画像からの漢字氏名、住所、生年月日、運転免許証交付日、運転免許証番号、追加入力されたカナ氏名、性別、郵便番号、住所、住まい区分、居住年数、配偶者有無、住居費負担有無、扶養家族数、仕事区分、勤務先名（漢字等）、勤務先名（カナ）、従業員数、職種、勤務先電話番号、勤務年数、年収、給料日、他社からの借入額、希望利用枠、暗証番号等を含む。
【００２８】
次に、前記クレジットカード発行用審査システム１０を用いての実際のクレジットカード発行用審査を説明する。
【００２９】
前記クレジットカード申込用アプリケーションは、前記作成されたクレジットカード申込データを基幹系サーバー３０に送信して、クレジットカードの申込を行う。顧客が、このクレジットカード申込データを送信してのクレジットカード申込を行ったとき、基幹系サーバー３０は、自動審査用処理部３４でこのカード申込用顧客データを受け、審査を行う。
【００３０】
自動審査用処理部３４は、前記所定時間内であるときには、自社情報による自動審査と外部照会による自動審査からなる通常自動審査をリアルタイムに行い、この通常自動審査が可の時には、そのデータを仮カード番号発番部３６に送信し、前記仮カード番号発番部３６は、前記データを受け、仮カード番号データを生成し、これを顧客の多機能携帯電話機１０に送信する。なお、仮カード番号データの送信は、審査結果回答部４０によって行われる。
【００３１】
このように、顧客の多機能携帯電話機１０に仮カード番号データが送信されると、顧客は、上記仮カード番号を用いて、クレジットカード発行前のＷｅｂ通信販売等において、立替払い契約で商品の購入を行えるようになる。この仮カード番号を用いての上述の商品の購入は、上記特典ポイントデータで示された特典ポイントを使用して行うことができる。すなわち、３５００円の商品を上記仮カードを用いて購入する際、上記の２０００ポイントを使用でき、したがって、実際の代金は１５００円となる。
【００３２】
以上説明した所定時間内のクレジットカード発行用審査システムの審査（通常自動審査）の流れの概略を図３に示した。
【００３３】
一方、自動審査用処理部３４は，前記所定時間外であるときには、リアルタイムには、自社情報による自動審査のみの暫定自動審査を行って、この暫定自動審査が否の時以外は外部照会未実施による再審査とし、そのデータを仮カード番号発番部３６およびポイントデータ生成部３８に送信し、前記仮カード番号発番部３６は、前記データを受け、仮カード番号データを生成し、これを顧客端末に送信するが、仮カード番号は一旦使用できるようにし、所定時間内の再審査で否のときは、仮カード番号は取り消され、顧客端末に送信されるようになっている。
【００３４】
上記の審査結果が、否の時以外とは、可の結果、および可ではないが人的審査を必要とするという結果の２つである。
【００３５】
前記基幹系サーバー１０は、前記暫定自動審査による審査結果が否の時以外のときであって、前記所定時間内となったとき、前記時間外受付再審査部４２によって前記通常自動審査と同様の自動再審査を行うようになっている。
【００３６】
この時間外受付再審査部４２の自動再審査の結果は、上記通常自動審査の結果と同様にして用いられ、その結果のデータは、再審査結果回答部４４によって、顧客の多機能携帯電話機１０に送信される。
【００３７】
以上説明した所定時間外のクレジットカード発行用審査システムの審査（自動再審査）の流れの概略を図４に示した。
【００３８】
前記基幹系サーバー３０は、前記通常自動審査および自動再審査の結果が人的審査を必要とする結果であるとき、人的審査機関の端末１００に前記クレジットカード申込データを送信するようになっている。この人的審査機関の審査の結果が可であるときには、郵送カード作成処理に入る。
【００３９】
上記したように、前記基幹系サーバーは、郵送カード発行データ生成部４６を有し、前記通常自動審査および自動再審査が可のとき、郵送カード発行データ生成部４６をして、クレジットカード発行データを生成するようになっている。このクレジットカード発行データは、郵送カード発行装置１２０に送信され、この郵送カード発行装置１２０は、上記クレジットカード発行データに基づき実際のクレジットカードを発行し、顧客に郵送するようにする。
【００４０】
前記仮カード番号発番部３６が生成した仮カード番号データを含む仮カード番号生成データは、基幹系サーバー３０の内部に配置されるか、または該基幹系サーバーに接続されて配置されても良い仮カード番号データ記憶手段４８に記憶される。
【００４１】
郵送カード発行データ生成部４６が作成した郵送カード発行データは、基幹系サーバー３０の内部に配置されるか、または該基幹系サーバーに接続されて配置されても良い郵送カード発行データ記憶手段５０に記憶される。
【００４２】
前記クレジットカード発行データはカード番号を有しており、このカード番号は、前記仮カード番号とは異なっている。
【００４３】
前記の審査結果の情報データは、審査情報データファイル５２に記憶される。
【００４４】
前記クレジットカード申込用アプリケーションは、多機能携帯電話機１０の撮像手段１６により撮像したクレジットカード申込者の運転免許証の画面を基幹系サーバー３０に送信し、基幹系サーバー３０は、該サーバーが備える（接続された）モニター５４にその画像をディスプレーする。
この画像と、クレジットカード申込データの内容とを見比べて、画像が正しく変換されたかを確認することが好ましい。
【００４５】
以上説明したように、本発明の多機能携帯電話機においては、前記した構成であるので、その主記憶部が予め記憶している少なくとも多機能携帯電話機所持者の漢字氏名データを用いて、クレジットカード発行用審査等を行うための本人確認を行うことができ、多機能携帯電話機の機能を十分に発揮できる。
【００４６】
また、本発明のクレジットカード発行用審査システムにおいては、多機能携帯電話機の主記憶部に予め記憶された該多機能携帯電話機所持者の属性データおよび多機能携帯電話機の撮像手段を利用して取り込んだ運転免許所持者データを使用してクレジットカード申込データを作成するようにしたので、クレジットカード申込者の労力を大幅に削減することができ、利便性が高い。
【符号の説明】
【００４７】
１０  多機能携帯電話機
１２  中央演算回路
１４  入力手段
１６  撮像手段
１８  主メモリ
２０  アプリケーション用メモリ
２２  送受信手段
２４  モニター
３０  基幹系サーバー
３１  アプリケーションデータメモリ
３２  クレジットカード申込用画面データ記憶部
３４  自動審査用処理部
３６  仮カード番号発番部
３８  ポイントデータ生成部
４０  審査結果回答部
４２  時間外受付再審査部
４４  再審査回答部
４６  郵送カード発行データ生成部
４８  仮カード番号情報データファイル
５０  郵送カード発行データファイル
５２  審査情報データファイル
１００  人的審査機関の端末
１２０  郵送カード発行装置
【図１】
2015148983.tif 000003
【図２】
2015148983.tif 000004
【図３】
2015148983.tif 000005
【図４】
2015148983.tif 000006
【図５】
2015148983.tif 000007
【図６】
2015148983.tif 000008
【手続補正書】
【提出日】平成26年7月16日(2014.7.16)
【手続補正１】
【補正対象書類名】特許請求の範囲
【補正対象項目名】全文
【補正方法】変更
【補正の内容】
【特許請求の範囲】
【請求項１】
多機能携帯電話機にダウンロードされる主作業アプリケーションソフトのための簡易メールアドレス取得システムにおいて、
多機能携帯電話機と基幹系サーバーを備え、
前記多機能携帯電話機は、電話機中央演算回路と、該電話機中央演算回路からの指示を受けて画像を表示するモニターと、少なくとも多機能携帯電話機ＩＤデータおよびメールアドレスデータを記憶した主記憶部と、主作業を実行するための主作業用アプリケーションソフトを記憶する主作業用アプリケーションソフト記憶手段と、メール用アプリケーションソフトを記憶した送受信手段と、前記作業者の属性データ等を入力するための入力手段とを備え、
前記多機能携帯電話機は、前記主記憶部が記憶する前記メールアドレスデータをメール用アプリケーションソフトに自動的に組み込むことを拒絶する組み込み拒絶機種を含み、
前記基幹系サーバーは、サーバー中央演算回路と、前記多機能携帯電話機から送られてきたデータから該多機能携帯電話機の多機能携帯電話機ＩＤデータおよびメールアドレスデータを記憶するメールアドレス記憶手段とを備え、
少なくとも前記多機能携帯電話機が前記組み込み拒絶機種であった場合に、前記多機能携帯電話機の電話機中央演算回路は、前記主作業用アプリケーションソフト記憶手段から読み出した主作業用アプリケーションソフトにより、前記モニターにメールアドレス取得のための取得指示画面を表示し、作業者がこの画面からメールアドレス取得の指示を行ったとき、前記電話機中央演算回路をして、前記送受信手段からメール用アプリケーションソフトを読み出して、少なくとも多機能携帯電話機ＩＤデータおよびメールアドレスデータを有するメールを作成すると共に、前記モニターに送信のための送信画面を表示し、
作業者がこの送信画面から送信の指示を行ったとき、前記メールを前記基幹系サーバーに送信し、
前記基幹系サーバーは、前記メールを受信し、前記サーバー中央演算回路をして、前記多機能携帯電話機ＩＤに紐付けて、前記メールアドレスデータを前記メールアドレス記憶手段に記憶させると共に、
電話機中央演算回路をして、再び主作業用アプリケーションソフトを読み出して、前記モニターにメールアドレス取得を実行するための取得実行画面を表示し、
作業者がこの取得実行画面からメールアドレス取得実行の指示をしたとき、前記基幹系サーバーは、このメールアドレス取得実行の指示を受けて、前記サーバー中央演算回路をして、前記メールアドレス記憶手段からメールアドレスデータを読み出し、これを前記多機能携帯電話機に送信し、
多機能携帯電話機の電話機中央演算回路は、このメールアドレスデータを前記主作業用アプリケーションソフトに組み込むようになっている
ことを特徴とする簡易メールアドレス取得システム。
【請求項２】
多機能携帯電話機と基幹系サーバーを備え、
前記多機能携帯電話機は、電話機中央演算回路と、該電話機中央演算回路からの指示を受けて画像を表示するモニターと、少なくとも多機能携帯電話機ＩＤデータおよびメールアドレスデータを記憶した主記憶部と、クレジットカード申込用アプリケーションを記憶するクレジットカード申込用アプリケーション記憶手段と、メール用アプリケーションソフトを記憶した送受信手段と、前記作業者の属性データ等を入力するための入力手段とを備え、
前記クレジットカード申込用アプリケーションに従って作成されたクレジットカード申込用データを前記多機能携帯電話機から前記基幹系サーバーに送信して、クレジットカードの発行申込を行うクレジットカード発行用審査システムにおいて、
前記多機能携帯電話機が、更に運転免許証を撮像して、少なくとも運転免許所持者の漢字氏名データを有する運転免許所持者データとし、該運転免許所持者データを前記電話機中央演算回路に送信する撮像手段、およびユーザー認証アプリケーションを記憶するユーザー認証アプリケーションメモリを備え、前記基幹系サーバーは、ユーザー認証アプリケーションを記憶した基幹系ユーザー認証アプリケーションメモリを備え、前記主記憶部は、更に、少なくとも多機能携帯電話機所持者の漢字氏名データを含む多機能携帯電話機所持者の属性データを記憶しており、前記電話機中央演算回路は、前記基幹系ユーザー認証アプリケーションメモリからのユーザー認証アプリケーションを前記ユーザー認証アプリケーションメモリにダウンロードし、このユーザー認証アプリケーションを用いて前記運転免許所持者の漢字氏名データと前記多機能携帯電話機所持者の漢字氏名データとを照合し、それらが一致するとき一致データを作成し、それらが異なっているとき不一致データを作成するようになっているクレジットカード発行用審査システム。
【請求項３】
前記多機能携帯電話機における前記運転免許所持者データが、前記運転免許所持者の漢字氏名データの他に、運転免許所持者の住所データおよび生年月日データ、ならびに運転免許証の交付日データおよび運転免許証番号データを備え、前記多機能携帯電話機所持者の属性データが、前記多機能携帯電話機所持者の漢字氏名データの他に、その多機能携帯電話機の携帯電話番号データおよびメールアドレスデータを備えている請求項２のクレジットカード発行用審査システム。
【請求項４】
前記多機能携帯電話機の前記電話機中央演算回路は、前記不一致データを作成したとき、その旨を前記モニターに表示するようになっている請求項２または３のクレジットカード発行用審査システム。
【請求項５】
前記多機能携帯電話機から送られてきたクレジットカード申込データに基づき、クレジットカードの発行の審査を行う、クレジットカード発行用審査システムであって、前記クレジットカード申込データが、請求項１の簡易メールアドレス取得システムによって取得したメールアドレスデータ、前記運転免許所持者データ、前記多機能携帯電話機所持者の属性データ、ならびに前記運転免許所持者データおよび前記多機能携帯電話機所持者の属性データ以外の多機能携帯電話機に手入力で入力されたクレジットカード申込者のその他属性データを備える請求項２または３のクレジットカード発行用審査システム。
【請求項６】
請求項１の簡易メールアドレス取得システムによって取得したメールアドレスをクレジットカード申込データに組み込んで、前記多機能携帯電話機がこれを前記基幹系サーバーに送信し、これによってクレジットカード申込データに基づき、クレジットカードの発行の審査を行うクレジットカード発行用審査システムであって、前記基幹系サーバーは、前記主作業用アプリケーションであるクレジットカード申込用アプリケーションを記憶したクレジットカード申込用アプリケーション記憶部、クレジットカード申込用画面データを記憶したクレジットカード申込用画面データ記憶部、自社情報による２４時間自動審査と、外部照会による所定時間内自動審査を行う自動審査用処理部、審査結果回答部、時間外受付再審査部、再審査結果回答部および郵送カード発行データ生成部を備えているクレジットカード発行用審査システム。
【請求項７】
顧客が前記多機能携帯電話機を操作することにより、基幹系サーバーのクレジットカード申込用画面データ記憶部からクレジットカード申込用画面データを読み出し、該多機能携帯電話機のモニターにクレジットカード申し込み用画面を表示することができるようになっており、顧客が、このクレジットカード申込用画面により前記その他属性データを入力したとき、前記クレジットカード申込用アプリケーションは、前記運転免許所持者データ、前記多機能携帯電話機所持者の属性データおよびその他属性データを合成して、クレジットカード申込データを作成し、これを前記基幹系サーバーに送信し、該基幹系サーバーは、自動審査用処理部でこのクレジットカード申込データを受け、前記所定時間内であるときには、自社情報による自動審査と外部照会による自動審査からなる通常自動審査をリアルタイムに行い、一方、前記所定時間外であるときには、リアルタイムには、自社情報による自動審査のみの暫定自動審査を行って、この暫定自動審査が否の時以外は外部照会未実施による再審査とするようになっている請求項６のクレジットカード発行用審査システム。
【請求項８】
前記基幹系サーバーは、前記暫定自動審査による審査結果が否の時以外のときであって、前記所定時間内となったとき、前記時間外受付再審査部によって前記通常自動審査と同様の自動再審査を行うようになっている請求項７のクレジットカード発行用審査システム。
【請求項９】
前記基幹系サーバーは、前記通常自動審査および暫定自動審査が人的審査を必要とする結果であるとき、人的審査機関の端末に前記クレジットカード申込データを送信するようになっている請求項７または８のクレジットカード発行用審査システム。
【請求項１０】
前記基幹系サーバーは、少なくとも前記通常自動審査が可のとき、前記郵送カード発行データ生成部をして、クレジットカード発行データを生成するようになっている請求項７〜９のいずれかのクレジットカード発行用審査システム。
【請求項１１】
前記基幹系サーバーは、少なくとも前記通常自動審査が可のとき、クレジットカード発行前の通信販売および／または店頭販売における立替払い契約を行うことの出来る仮カード番号を生成する仮カード番号発番部を備えている請求項７〜１０のいずれかのクレジットカード発行用審査システム。
【請求項１２】
前記基幹系サーバーの内部に配置されるか、または該基幹系サーバーに接続されて、前記仮カード番号発番部が生成した仮カード番号データを記憶する仮カード番号データ記憶手段が設けられている請求項１１のクレジットカード発行用審査システム。
【請求項１３】
前記基幹系サーバーの内部に配置されるか、または該基幹系サーバーに接続されて、前記郵送カード発行データ生成部が作成した郵送カード発行データを記憶する郵送カード発行データ記憶手段が設けられている請求項７〜１２のいずれかのクレジットカード発行用審査システム。
【請求項１４】
前記基幹系サーバーは、少なくとも前記通常自動審査が可のとき、クレジットカード発行前の通信販売および／または店頭販売における立替払い契約を行うことの出来る仮カード番号を生成する仮カード番号発番部を備えており、前記クレジットカード発行データはカード番号を有しており、このカード番号は、前記仮カード番号とは異なる番号である請求項１０のクレジットカード発行用審査システム。
【請求項１５】
前記クレジットカード発行データは、基幹系サーバーに接続された郵送カード発行装置に送信されるようになっている請求項１０または１４のクレジットカード発行用審査システム。
【請求項１６】
前記基幹系サーバーには、人的審査を行うための人的審査端末が接続されており、顧客が前記多機能携帯電話機を操作することにより、基幹系サーバーのクレジットカード申込用画面データ記憶部からクレジットカード申込用画面データを読み出し、該多機能携帯電話機のモニターにクレジットカード申し込み用画面を表示することができるようになっており、顧客が、このクレジットカード申込用画面により前記その他属性データを入力したとき、前記クレジットカード申込用アプリケーションは、前記運転免許所持者データ、前記多機能携帯電話機所持者の属性データおよびその他属性データを合成して、クレジットカード申込データを作成し、これを前記基幹系サーバーに送信し、該基幹系サーバーは、自動審査用処理部でこのクレジットカード申込データを受け、前記所定時間内であるときには、自社情報による自動審査と外部照会による自動審査からなる通常自動審査をリアルタイムに行い、この通常自動審査が可の時には、そのデータを前記仮カード番号発番部に送信し、
前記仮カード番号発番部は、前記データを受け、仮カード番号データを生成し、これを顧客の多機能携帯電話機に送信し、
一方、前記所定時間外であるときには、リアルタイムには、自社情報による自動審査のみの暫定自動審査を行って、この暫定自動審査が否の時以外は外部照会未実施による再審査とし、そのデータを仮カード番号発番部およびポイントデータ生成部に送信するとともに、前記所定時間内となったとき、前記時間外受付再審査部によって前記通常自動審査と同様の自動再審査を行うようになっており、前記仮カード番号発番部は、前記データを受け、仮カード番号データを生成し、これを顧客端末に送信するが、この仮カード番号発番部は、前記再審査が可となるまで使用できないようにし、
前記基幹系サーバーは、前記通常自動審査が可のとき、および前記外部照会未実施による再審査が可のとき、郵送カード発行データ生成部をして、クレジットカード発行データを生成するようになっており、前記通常自動審査、暫定自動審査および前記外部照会未実施による再審査が人的審査を必要とする結果であるとき、前記人的審査端末に前記クレジットカード申込データを送信するようになっている請求項１５のクレジットカード発行用審査システム。
【手続補正２】
【補正対象書類名】明細書
【補正対象項目名】００１０
【補正方法】変更
【補正の内容】
【００１０】
上記の目的は、本発明の下記（１）〜（１６）の構成の簡易メールアドレス取得システムおよびそれを用いたクレジットカード発行用審査システムにより達成される。
（１）
多機能携帯電話機にダウンロードされる主作業アプリケーションソフトのための簡易メールアドレス取得システムにおいて、
多機能携帯電話機と基幹系サーバーを備え、
前記多機能携帯電話機は、電話機中央演算回路と、該電話機中央演算回路からの指示を受けて画像を表示するモニターと、少なくとも多機能携帯電話機ＩＤデータおよびメールアドレスデータを記憶した主記憶部と、主作業を実行するための主作業用アプリケーションソフトを記憶する主作業用アプリケーションソフト記憶手段と、メール用アプリケーションソフトを記憶した送受信手段と、前記作業者の属性データ等を入力するための入力手段とを備え、
前記多機能携帯電話機は、前記主記憶部が記憶する前記メールアドレスデータをメール用アプリケーションソフトに自動的に組み込むことを拒絶する組み込み拒絶機種を含み、
前記基幹系サーバーは、サーバー中央演算回路と、前記多機能携帯電話機から送られてきたデータから該多機能携帯電話機の多機能携帯電話機ＩＤデータおよびメールアドレスデータを記憶するメールアドレス記憶手段とを備え、
少なくとも前記多機能携帯電話機が前記組み込み拒絶機種であった場合に、前記多機能携帯電話機の電話機中央演算回路は、前記主作業用アプリケーションソフト記憶手段から読み出した主作業用アプリケーションソフトにより、前記モニターにメールアドレス取得のための取得指示画面を表示し、作業者がこの画面からメールアドレス取得の指示を行ったとき、前記電話機中央演算回路をして、前記送受信手段からメール用アプリケーションソフトを読み出して、少なくとも多機能携帯電話機ＩＤデータおよびメールアドレスデータを有するメールを作成すると共に、前記モニターに送信のための送信画面を表示し、
作業者がこの送信画面から送信の指示を行ったとき、前記メールを前記基幹系サーバーに送信し、
前記基幹系サーバーは、前記メールを受信し、前記サーバー中央演算回路をして、前記多機能携帯電話機ＩＤに紐付けて、前記メールアドレスデータを前記メールアドレス記憶手段に記憶させると共に、
電話機中央演算回路をして、再び主作業用アプリケーションソフトを読み出して、前記モニターにメールアドレス取得を実行するための取得実行画面を表示し、
作業者がこの取得実行画面からメールアドレス取得実行の指示をしたとき、前記基幹系サーバーは、このメールアドレス取得実行の指示を受けて、前記サーバー中央演算回路をして、前記メールアドレス記憶手段からメールアドレスデータを読み出し、これを前記多機能携帯電話機に送信し、
多機能携帯電話機の電話機中央演算回路は、このメールアドレスデータを前記主作業用アプリケーションソフトに組み込むようになっている
ことを特徴とする簡易メールアドレス取得システム。
（２）
多機能携帯電話機と基幹系サーバーを備え、
前記多機能携帯電話機は、電話機中央演算回路と、該電話機中央演算回路からの指示を受けて画像を表示するモニターと、少なくとも多機能携帯電話機ＩＤデータおよびメールアドレスデータを記憶した主記憶部と、クレジットカード申込用アプリケーションを記憶するクレジットカード申込用アプリケーション記憶手段と、メール用アプリケーションソフトを記憶した送受信手段と、前記作業者の属性データ等を入力するための入力手段とを備え、
前記クレジットカード申込用アプリケーションに従って作成されたクレジットカード申込用データを前記多機能携帯電話機から前記基幹系サーバーに送信して、クレジットカードの発行申込を行うクレジットカード発行用審査システムにおいて、
前記多機能携帯電話機が、更に運転免許証を撮像して、少なくとも運転免許所持者の漢字氏名データを有する運転免許所持者データとし、該運転免許所持者データを前記電話機中央演算回路に送信する撮像手段、およびユーザー認証アプリケーションを記憶するユーザー認証アプリケーションメモリを備え、前記基幹系サーバーは、ユーザー認証アプリケーションを記憶した基幹系ユーザー認証アプリケーションメモリを備え、前記主記憶部は、更に、少なくとも多機能携帯電話機所持者の漢字氏名データを含む多機能携帯電話機所持者の属性データを記憶しており、前記電話機中央演算回路は、前記基幹系ユーザー認証アプリケーションメモリからのユーザー認証アプリケーションを前記ユーザー認証アプリケーションメモリにダウンロードし、このユーザー認証アプリケーションを用いて前記運転免許所持者の漢字氏名データと前記多機能携帯電話機所持者の漢字氏名データとを照合し、それらが一致するとき一致データを作成し、それらが異なっているとき不一致データを作成するようになっているクレジットカード発行用審査システム。
（３）
前記多機能携帯電話機における前記運転免許所持者データが、前記運転免許所持者の漢字氏名データの他に、運転免許所持者の住所データおよび生年月日データ、ならびに運転免許証の交付日データおよび運転免許証番号データを備え、前記多機能携帯電話機所持者の属性データが、前記多機能携帯電話機所持者の漢字氏名データの他に、その多機能携帯電話機の携帯電話番号データおよびメールアドレスデータを備えている前記（２）のクレジットカード発行用審査システム。
（４）
前記多機能携帯電話機の前記電話機中央演算回路は、前記不一致データを作成したとき、その旨を前記モニターに表示するようになっている前記（２）または３のクレジットカード発行用審査システム。
（５）
前記多機能携帯電話機から送られてきたクレジットカード申込データに基づき、クレジットカードの発行の審査を行う、クレジットカード発行用審査システムであって、前記クレジットカード申込データが、請求項１の簡易メールアドレス取得システムによって取得したメールアドレスデータ、前記運転免許所持者データ、前記多機能携帯電話機所持者の属性データ、ならびに前記運転免許所持者データおよび前記多機能携帯電話機所持者の属性データ以外の多機能携帯電話機に手入力で入力されたクレジットカード申込者のその他属性データを備える前記（２）または（３）のクレジットカード発行用審査システム。
（６）
前記（１）の簡易メールアドレス取得システムによって取得したメールアドレスをクレジットカード申込データに組み込んで、前記多機能携帯電話機がこれを前記基幹系サーバーに送信し、これによってクレジットカード申込データに基づき、クレジットカードの発行の審査を行うクレジットカード発行用審査システムであって、前記基幹系サーバーは、前記主作業用アプリケーションであるクレジットカード申込用アプリケーションを記憶したクレジットカード申込用アプリケーション記憶部、クレジットカード申込用画面データを記憶したクレジットカード申込用画面データ記憶部、自社情報による２４時間自動審査と、外部照会による所定時間内自動審査を行う自動審査用処理部、審査結果回答部、時間外受付再審査部、再審査結果回答部および郵送カード発行データ生成部を備えているクレジットカード発行用審査システム。
（７）
顧客が前記多機能携帯電話機を操作することにより、基幹系サーバーのクレジットカード申込用画面データ記憶部からクレジットカード申込用画面データを読み出し、該多機能携帯電話機のモニターにクレジットカード申し込み用画面を表示することができるようになっており、顧客が、このクレジットカード申込用画面により前記その他属性データを入力したとき、前記クレジットカード申込用アプリケーションは、前記運転免許所持者データ、前記多機能携帯電話機所持者の属性データおよびその他属性データを合成して、クレジットカード申込データを作成し、これを前記基幹系サーバーに送信し、該基幹系サーバーは、自動審査用処理部でこのクレジットカード申込データを受け、前記所定時間内であるときには、自社情報による自動審査と外部照会による自動審査からなる通常自動審査をリアルタイムに行い、一方、前記所定時間外であるときには、リアルタイムには、自社情報による自動審査のみの暫定自動審査を行って、この暫定自動審査が否の時以外は外部照会未実施による再審査とするようになっている前記（６）のクレジットカード発行用審査システム。
（８）
前記基幹系サーバーは、前記暫定自動審査による審査結果が否の時以外のときであって、前記所定時間内となったとき、前記時間外受付再審査部によって前記通常自動審査と同様の自動再審査を行うようになっている前記（７）のクレジットカード発行用審査システム。
（９）
前記基幹系サーバーは、前記通常自動審査および暫定自動審査が人的審査を必要とする結果であるとき、人的審査機関の端末に前記クレジットカード申込データを送信するようになっている前記（７）または（８）のクレジットカード発行用審査システム。
（１０）
前記基幹系サーバーは、少なくとも前記通常自動審査が可のとき、前記郵送カード発行データ生成部をして、クレジットカード発行データを生成するようになっている前記（７）〜（９）のいずれかのクレジットカード発行用審査システム。
（１１）
前記基幹系サーバーは、少なくとも前記通常自動審査が可のとき、クレジットカード発行前の通信販売および／または店頭販売における立替払い契約を行うことの出来る仮カード番号を生成する仮カード番号発番部を備えている前記（７）〜（１０）のいずれかのクレジットカード発行用審査システム。
（１２）
前記基幹系サーバーの内部に配置されるか、または該基幹系サーバーに接続されて、前記仮カード番号発番部が生成した仮カード番号データを記憶する仮カード番号データ記憶手段が設けられている（１１）のクレジットカード発行用審査システム。
（１３）
前記基幹系サーバーの内部に配置されるか、または該基幹系サーバーに接続されて、前記郵送カード発行データ生成部が作成した郵送カード発行データを記憶する郵送カード発行データ記憶手段が設けられている前記（７）〜（１２）のいずれかのクレジットカード発行用審査システム。
（１４）
前記基幹系サーバーは、少なくとも前記通常自動審査が可のとき、クレジットカード発行前の通信販売および／または店頭販売における立替払い契約を行うことの出来る仮カード番号を生成する仮カード番号発番部を備えており、前記クレジットカード発行データはカード番号を有しており、このカード番号は、前記仮カード番号とは異なる番号である前記（１０）のクレジットカード発行用審査システム。
（１５）
前記クレジットカード発行データは、基幹系サーバーに接続された郵送カード発行装置に送信されるようになっている前記（１０）または（１４）のクレジットカード発行用審査システム。
（１６）
前記基幹系サーバーには、人的審査を行うための人的審査端末が接続されており、顧客が前記多機能携帯電話機を操作することにより、基幹系サーバーのクレジットカード申込用画面データ記憶部からクレジットカード申込用画面データを読み出し、該多機能携帯電話機のモニターにクレジットカード申し込み用画面を表示することができるようになっており、顧客が、このクレジットカード申込用画面により前記その他属性データを入力したとき、前記クレジットカード申込用アプリケーションは、前記運転免許所持者データ、前記多機能携帯電話機所持者の属性データおよびその他属性データを合成して、クレジットカード申込データを作成し、これを前記基幹系サーバーに送信し、該基幹系サーバーは、自動審査用処理部でこのクレジットカード申込データを受け、前記所定時間内であるときには、自社情報による自動審査と外部照会による自動審査からなる通常自動審査をリアルタイムに行い、この通常自動審査が可の時には、そのデータを前記仮カード番号発番部に送信し、
前記仮カード番号発番部は、前記データを受け、仮カード番号データを生成し、これを顧客の多機能携帯電話機に送信し、
一方、前記所定時間外であるときには、リアルタイムには、自社情報による自動審査のみの暫定自動審査を行って、この暫定自動審査が否の時以外は外部照会未実施による再審査とし、そのデータを仮カード番号発番部およびポイントデータ生成部に送信するとともに、前記所定時間内となったとき、前記時間外受付再審査部によって前記通常自動審査と同様の自動再審査を行うようになっており、前記仮カード番号発番部は、前記データを受け、仮カード番号データを生成し、これを顧客端末に送信するが、この仮カード番号発番部は、前記再審査が可となるまで使用できないようにし、
前記基幹系サーバーは、前記通常自動審査が可のとき、および前記外部照会未実施による再審査が可のとき、郵送カード発行データ生成部をして、クレジットカード発行データを生成するようになっており、前記通常自動審査、暫定自動審査および前記外部照会未実施による再審査が人的審査を必要とする結果であるとき、前記人的審査端末に前記クレジットカード申込データを送信するようになっている前記（１５）のクレジットカード発行用審査システム。
【手続補正書】
【提出日】平成26年12月8日(2014.12.8)
【手続補正１】
【補正対象書類名】特許請求の範囲
【補正対象項目名】全文
【補正方法】変更
【補正の内容】
【特許請求の範囲】
【請求項１】
多機能携帯電話機にダウンロードされる主作業アプリケーションソフトのための簡易メールアドレス取得システムにおいて、
多機能携帯電話機と基幹系サーバーを備え、
前記多機能携帯電話機は、電話機中央演算回路と、該電話機中央演算回路からの指示を受けて画像を表示するモニターと、少なくとも多機能携帯電話機ＩＤデータおよびメールアドレスデータを記憶した主記憶部と、主作業を実行するための主作業用アプリケーションソフトを記憶する主作業用アプリケーションソフト記憶手段と、メール用アプリケーションソフトを記憶した送受信手段と、前記作業者の属性データ等を入力するための入力手段とを備え、
前記多機能携帯電話機は、前記主記憶部が記憶する前記メールアドレスデータをメール用アプリケーションソフトに自動的に組み込むことを拒絶する組み込み拒絶機種であり、
前記基幹系サーバーは、サーバー中央演算回路と、前記多機能携帯電話機から送られてきたデータから該多機能携帯電話機の多機能携帯電話機ＩＤデータおよびメールアドレスデータを記憶するメールアドレス記憶手段とを備え、
前記多機能携帯電話機の電話機中央演算回路は、前記主作業用アプリケーションソフト記憶手段から読み出した主作業用アプリケーションソフトにより、前記モニターにメールアドレス取得のための取得指示画面を表示し、作業者がこの画面からメールアドレス取得の指示を行ったとき、前記電話機中央演算回路をして、前記送受信手段からメール用アプリケーションソフトを読み出して、少なくとも多機能携帯電話機ＩＤデータおよびメールアドレスデータを有するメールを作成すると共に、前記モニターに送信のための送信画面を表示し、
作業者がこの送信画面から送信の指示を行ったとき、前記メールを前記基幹系サーバーに送信し、
前記基幹系サーバーは、前記メールを受信し、前記サーバー中央演算回路をして、前記多機能携帯電話機ＩＤに紐付けて、前記メールアドレスデータを前記メールアドレス記憶手段に記憶させると共に、
電話機中央演算回路をして、再び主作業用アプリケーションソフトを読み出して、前記モニターにメールアドレス取得を実行するための取得実行画面を表示し、
作業者がこの取得実行画面からメールアドレス取得実行の指示をしたとき、前記基幹系サーバーは、このメールアドレス取得実行の指示を受けて、前記サーバー中央演算回路をして、前記メールアドレス記憶手段からメールアドレスデータを読み出し、これを前記多機能携帯電話機に送信し、
多機能携帯電話機の電話機中央演算回路は、このメールアドレスデータを前記主作業用アプリケーションソフトに組み込むようになっている
ことを特徴とする簡易メールアドレス取得システム。
【請求項２】
多機能携帯電話機と基幹系サーバーを備え、
前記多機能携帯電話機は、電話機中央演算回路と、該電話機中央演算回路からの指示を受けて画像を表示するモニターと、少なくとも多機能携帯電話機ＩＤデータおよびメールアドレスデータを記憶した主記憶部と、クレジットカード申込用アプリケーションを記憶するクレジットカード申込用アプリケーション記憶手段と、メール用アプリケーションソフトを記憶した送受信手段と、前記作業者の属性データ等を入力するための入力手段とを備え、
前記クレジットカード申込用アプリケーションに従って作成されたクレジットカード申込用データを前記多機能携帯電話機から前記基幹系サーバーに送信して、クレジットカードの発行申込を行うクレジットカード発行用審査システムにおいて、
前記多機能携帯電話機が、更に運転免許証を撮像して、少なくとも運転免許所持者の漢字氏名データを有する運転免許所持者データとし、該運転免許所持者データを前記電話機中央演算回路に送信する撮像手段、およびユーザー認証アプリケーションを記憶するユーザー認証アプリケーションメモリを備え、前記基幹系サーバーは、ユーザー認証アプリケーションを記憶した基幹系ユーザー認証アプリケーションメモリを備え、前記主記憶部は、更に、少なくとも多機能携帯電話機所持者の漢字氏名データを含む多機能携帯電話機所持者の属性データを記憶しており、前記電話機中央演算回路は、前記基幹系ユーザー認証アプリケーションメモリからのユーザー認証アプリケーションを前記ユーザー認証アプリケーションメモリにダウンロードし、このユーザー認証アプリケーションを用いて前記運転免許所持者の漢字氏名データと前記多機能携帯電話機所持者の漢字氏名データとを照合し、それらが一致するとき一致データを作成し、それらが異なっているとき不一致データを作成するようになっているクレジットカード発行用審査システム。
【請求項３】
前記多機能携帯電話機における前記運転免許所持者データが、前記運転免許所持者の漢字氏名データの他に、運転免許所持者の住所データおよび生年月日データ、ならびに運転免許証の交付日データおよび運転免許証番号データを備え、前記多機能携帯電話機所持者の属性データが、前記多機能携帯電話機所持者の漢字氏名データの他に、その多機能携帯電話機の携帯電話番号データおよびメールアドレスデータを備えている請求項２のクレジットカード発行用審査システム。
【請求項４】
前記多機能携帯電話機の前記電話機中央演算回路は、前記不一致データを作成したとき、その旨を前記モニターに表示するようになっている請求項２または３のクレジットカード発行用審査システム。
【請求項５】
前記多機能携帯電話機は、前記主記憶部が記憶する前記メールアドレスデータをメール用アプリケーションソフトに自動的に組み込むことを拒絶する組み込み拒絶機種を含み、
前記基幹系サーバーは、サーバー中央演算回路と、前記多機能携帯電話機から送られてきたデータから該多機能携帯電話機の多機能携帯電話機ＩＤデータおよびメールアドレスデータを記憶するメールアドレス記憶手段とを備え、
少なくとも前記多機能携帯電話機が前記組み込み拒絶機種であった場合に、前記多機能携帯電話機の電話機中央演算回路は、前記主作業用アプリケーションソフト記憶手段から読み出した主作業用アプリケーションソフトにより、前記モニターにメールアドレス取得のための取得指示画面を表示し、作業者がこの画面からメールアドレス取得の指示を行ったとき、前記電話機中央演算回路をして、前記送受信手段からメール用アプリケーションソフトを読み出して、少なくとも多機能携帯電話機ＩＤデータおよびメールアドレスデータを有するメールを作成すると共に、前記モニターに送信のための送信画面を表示し、
作業者がこの送信画面から送信の指示を行ったとき、前記メールを前記基幹系サーバーに送信し、
前記基幹系サーバーは、前記メールを受信し、前記サーバー中央演算回路をして、前記多機能携帯電話機ＩＤに紐付けて、前記メールアドレスデータを前記メールアドレス記憶手段に記憶させると共に、
電話機中央演算回路をして、再び主作業用アプリケーションソフトを読み出して、前記モニターにメールアドレス取得を実行するための取得実行画面を表示し、
作業者がこの取得実行画面からメールアドレス取得実行の指示をしたとき、前記基幹系サーバーは、このメールアドレス取得実行の指示を受けて、前記サーバー中央演算回路をして、前記メールアドレス記憶手段からメールアドレスデータを読み出し、これを前記多機能携帯電話機に送信し、
多機能携帯電話機の電話機中央演算回路は、このメールアドレスデータを前記主作業用アプリケーションソフトに組み込むようになっており、
前記クレジットカード申込データが、前記取得したメールアドレスデータ、前記運転免許所持者データ、前記多機能携帯電話機所持者の属性データ、ならびに前記運転免許所持者データおよび前記多機能携帯電話機所持者の属性データ以外の多機能携帯電話機に手入力で入力されたクレジットカード申込者のその他属性データを備える請求項２または３のクレジットカード発行用審査システム。
【請求項６】
前記多機能携帯電話機は、前記主記憶部が記憶する前記メールアドレスデータをメール用アプリケーションソフトに自動的に組み込むことを拒絶する組み込み拒絶機種を含み、
前記基幹系サーバーは、サーバー中央演算回路と、前記多機能携帯電話機から送られてきたデータから該多機能携帯電話機の多機能携帯電話機ＩＤデータおよびメールアドレスデータを記憶するメールアドレス記憶手段とを備え、
少なくとも前記多機能携帯電話機が前記組み込み拒絶機種であった場合に、前記多機能携帯電話機の電話機中央演算回路は、前記主作業用アプリケーションソフト記憶手段から読み出した主作業用アプリケーションソフトにより、前記モニターにメールアドレス取得のための取得指示画面を表示し、作業者がこの画面からメールアドレス取得の指示を行ったとき、前記電話機中央演算回路をして、前記送受信手段からメール用アプリケーションソフトを読み出して、少なくとも多機能携帯電話機ＩＤデータおよびメールアドレスデータを有するメールを作成すると共に、前記モニターに送信のための送信画面を表示し、
作業者がこの送信画面から送信の指示を行ったとき、前記メールを前記基幹系サーバーに送信し、
前記基幹系サーバーは、前記メールを受信し、前記サーバー中央演算回路をして、前記多機能携帯電話機ＩＤに紐付けて、前記メールアドレスデータを前記メールアドレス記憶手段に記憶させると共に、
電話機中央演算回路をして、再び主作業用アプリケーションソフトを読み出して、前記モニターにメールアドレス取得を実行するための取得実行画面を表示し、
作業者がこの取得実行画面からメールアドレス取得実行の指示をしたとき、前記基幹系サーバーは、このメールアドレス取得実行の指示を受けて、前記サーバー中央演算回路をして、前記メールアドレス記憶手段からメールアドレスデータを読み出し、これを前記多機能携帯電話機に送信し、
多機能携帯電話機の電話機中央演算回路は、このメールアドレスデータを前記主作業用アプリケーションソフトに組み込むようになっており、
前記取得したメールアドレスをクレジットカード申込データに組み込んで、前記多機能携帯電話機がこれを前記基幹系サーバーに送信し、これによってクレジットカード申込データに基づき、クレジットカードの発行の審査を行うクレジットカード発行用審査システムであって、
前記基幹系サーバーは、前記主作業用アプリケーションであるクレジットカード申込用アプリケーションを記憶したクレジットカード申込用アプリケーション記憶部、クレジットカード申込用画面データを記憶したクレジットカード申込用画面データ記憶部、自社情報による２４時間自動審査と、外部照会による所定時間内自動審査を行う自動審査用処理部、審査結果回答部、時間外受付再審査部、再審査結果回答部および郵送カード発行データ生成部を備えている請求項１または２のクレジットカード発行用審査システム。
【請求項７】
顧客が前記多機能携帯電話機を操作することにより、基幹系サーバーのクレジットカード申込用画面データ記憶部からクレジットカード申込用画面データを読み出し、該多機能携帯電話機のモニターにクレジットカード申し込み用画面を表示することができるようになっており、顧客が、このクレジットカード申込用画面により前記その他属性データを入力したとき、前記クレジットカード申込用アプリケーションは、前記運転免許所持者データ、前記多機能携帯電話機所持者の属性データおよびその他属性データを合成して、クレジットカード申込データを作成し、これを前記基幹系サーバーに送信し、該基幹系サーバーは、自動審査用処理部でこのクレジットカード申込データを受け、前記所定時間内であるときには、自社情報による自動審査と外部照会による自動審査からなる通常自動審査をリアルタイムに行い、一方、前記所定時間外であるときには、リアルタイムには、自社情報による自動審査のみの暫定自動審査を行って、この暫定自動審査が否の時以外は外部照会未実施による再審査とするようになっている請求項６のクレジットカード発行用審査システム。
【請求項８】
前記基幹系サーバーは、前記暫定自動審査による審査結果が否の時以外のときであって、前記所定時間内となったとき、前記時間外受付再審査部によって前記通常自動審査と同様の自動再審査を行うようになっている請求項７のクレジットカード発行用審査システム。
【請求項９】
前記基幹系サーバーは、前記通常自動審査および暫定自動審査が人的審査を必要とする結果であるとき、人的審査機関の端末に前記クレジットカード申込データを送信するようになっている請求項７または８のクレジットカード発行用審査システム。
【請求項１０】
前記基幹系サーバーは、少なくとも前記通常自動審査が可のとき、前記郵送カード発行データ生成部をして、クレジットカード発行データを生成するようになっている請求項７〜９のいずれかのクレジットカード発行用審査システム。
【請求項１１】
前記基幹系サーバーは、少なくとも前記通常自動審査が可のとき、クレジットカード発行前の通信販売および／または店頭販売における立替払い契約を行うことの出来る仮カード番号を生成する仮カード番号発番部を備えている請求項７〜１０のいずれかのクレジットカード発行用審査システム。
【請求項１２】
前記基幹系サーバーの内部に配置されるか、または該基幹系サーバーに接続されて、前記仮カード番号発番部が生成した仮カード番号データを記憶する仮カード番号データ記憶手段が設けられている請求項１１のクレジットカード発行用審査システム。
【請求項１３】
前記基幹系サーバーの内部に配置されるか、または該基幹系サーバーに接続されて、前記郵送カード発行データ生成部が作成した郵送カード発行データを記憶する郵送カード発行データ記憶手段が設けられている請求項７〜１２のいずれかのクレジットカード発行用審査システム。
【請求項１４】
前記基幹系サーバーは、少なくとも前記通常自動審査が可のとき、クレジットカード発行前の通信販売および／または店頭販売における立替払い契約を行うことの出来る仮カード番号を生成する仮カード番号発番部を備えており、前記クレジットカード発行データはカード番号を有しており、このカード番号は、前記仮カード番号とは異なる番号である請求項１０のクレジットカード発行用審査システム。
【請求項１５】
前記クレジットカード発行データは、基幹系サーバーに接続された郵送カード発行装置に送信されるようになっている請求項１０または１４のクレジットカード発行用審査システム。
【請求項１６】
前記基幹系サーバーには、人的審査を行うための人的審査端末が接続されており、顧客が前記多機能携帯電話機を操作することにより、基幹系サーバーのクレジットカード申込用画面データ記憶部からクレジットカード申込用画面データを読み出し、該多機能携帯電話機のモニターにクレジットカード申し込み用画面を表示することができるようになっており、顧客が、このクレジットカード申込用画面により前記その他属性データを入力したとき、前記クレジットカード申込用アプリケーションは、前記運転免許所持者データ、前記多機能携帯電話機所持者の属性データおよびその他属性データを合成して、クレジットカード申込データを作成し、これを前記基幹系サーバーに送信し、該基幹系サーバーは、自動審査用処理部でこのクレジットカード申込データを受け、前記所定時間内であるときには、自社情報による自動審査と外部照会による自動審査からなる通常自動審査をリアルタイムに行い、この通常自動審査が可の時には、そのデータを前記仮カード番号発番部に送信し、
前記仮カード番号発番部は、前記データを受け、仮カード番号データを生成し、これを顧客の多機能携帯電話機に送信し、
一方、前記所定時間外であるときには、リアルタイムには、自社情報による自動審査のみの暫定自動審査を行って、この暫定自動審査が否の時以外は外部照会未実施による再審査とし、そのデータを仮カード番号発番部およびポイントデータ生成部に送信するとともに、前記所定時間内となったとき、前記時間外受付再審査部によって前記通常自動審査と同様の自動再審査を行うようになっており、前記仮カード番号発番部は、前記データを受け、仮カード番号データを生成し、これを顧客端末に送信するが、この仮カード番号発番部は、前記再審査が可となるまで使用できないようにし、
前記基幹系サーバーは、前記通常自動審査が可のとき、および前記外部照会未実施による再審査が可のとき、郵送カード発行データ生成部をして、クレジットカード発行データを生成するようになっており、前記通常自動審査、暫定自動審査および前記外部照会未実施による再審査が人的審査を必要とする結果であるとき、前記人的審査端末に前記クレジットカード申込データを送信するようになっている請求項１５のクレジットカード発行用審査システム。
【手続補正２】
【補正対象書類名】明細書
【補正対象項目名】００１０
【補正方法】変更
【補正の内容】
【００１０】
上記の目的は、本発明の下記（１）〜（１６）の構成の簡易メールアドレス取得システムおよびそれを用いたクレジットカード発行用審査システムにより達成される。
（１）
多機能携帯電話機にダウンロードされる主作業アプリケーションソフトのための簡易メールアドレス取得システムにおいて、
多機能携帯電話機と基幹系サーバーを備え、
前記多機能携帯電話機は、電話機中央演算回路と、該電話機中央演算回路からの指示を受けて画像を表示するモニターと、少なくとも多機能携帯電話機ＩＤデータおよびメールアドレスデータを記憶した主記憶部と、主作業を実行するための主作業用アプリケーションソフトを記憶する主作業用アプリケーションソフト記憶手段と、メール用アプリケーションソフトを記憶した送受信手段と、前記作業者の属性データ等を入力するための入力手段とを備え、
前記多機能携帯電話機は、前記主記憶部が記憶する前記メールアドレスデータをメール用アプリケーションソフトに自動的に組み込むことを拒絶する組み込み拒絶機種であり、
前記基幹系サーバーは、サーバー中央演算回路と、前記多機能携帯電話機から送られてきたデータから該多機能携帯電話機の多機能携帯電話機ＩＤデータおよびメールアドレスデータを記憶するメールアドレス記憶手段とを備え、
前記多機能携帯電話機の電話機中央演算回路は、前記主作業用アプリケーションソフト記憶手段から読み出した主作業用アプリケーションソフトにより、前記モニターにメールアドレス取得のための取得指示画面を表示し、作業者がこの画面からメールアドレス取得の指示を行ったとき、前記電話機中央演算回路をして、前記送受信手段からメール用アプリケーションソフトを読み出して、少なくとも多機能携帯電話機ＩＤデータおよびメールアドレスデータを有するメールを作成すると共に、前記モニターに送信のための送信画面を表示し、
作業者がこの送信画面から送信の指示を行ったとき、前記メールを前記基幹系サーバーに送信し、
前記基幹系サーバーは、前記メールを受信し、前記サーバー中央演算回路をして、前記多機能携帯電話機ＩＤに紐付けて、前記メールアドレスデータを前記メールアドレス記憶手段に記憶させると共に、
電話機中央演算回路をして、再び主作業用アプリケーションソフトを読み出して、前記モニターにメールアドレス取得を実行するための取得実行画面を表示し、
作業者がこの取得実行画面からメールアドレス取得実行の指示をしたとき、前記基幹系サーバーは、このメールアドレス取得実行の指示を受けて、前記サーバー中央演算回路をして、前記メールアドレス記憶手段からメールアドレスデータを読み出し、これを前記多機能携帯電話機に送信し、
多機能携帯電話機の電話機中央演算回路は、このメールアドレスデータを前記主作業用アプリケーションソフトに組み込むようになっている
ことを特徴とする簡易メールアドレス取得システム。
（２）
多機能携帯電話機と基幹系サーバーを備え、
前記多機能携帯電話機は、電話機中央演算回路と、該電話機中央演算回路からの指示を受けて画像を表示するモニターと、少なくとも多機能携帯電話機ＩＤデータおよびメールアドレスデータを記憶した主記憶部と、クレジットカード申込用アプリケーションを記憶するクレジットカード申込用アプリケーション記憶手段と、メール用アプリケーションソフトを記憶した送受信手段と、前記作業者の属性データ等を入力するための入力手段とを備え、
前記クレジットカード申込用アプリケーションに従って作成されたクレジットカード申込用データを前記多機能携帯電話機から前記基幹系サーバーに送信して、クレジットカードの発行申込を行うクレジットカード発行用審査システムにおいて、
前記多機能携帯電話機が、更に運転免許証を撮像して、少なくとも運転免許所持者の漢字氏名データを有する運転免許所持者データとし、該運転免許所持者データを前記電話機中央演算回路に送信する撮像手段、およびユーザー認証アプリケーションを記憶するユーザー認証アプリケーションメモリを備え、前記基幹系サーバーは、ユーザー認証アプリケーションを記憶した基幹系ユーザー認証アプリケーションメモリを備え、前記主記憶部は、更に、少なくとも多機能携帯電話機所持者の漢字氏名データを含む多機能携帯電話機所持者の属性データを記憶しており、前記電話機中央演算回路は、前記基幹系ユーザー認証アプリケーションメモリからのユーザー認証アプリケーションを前記ユーザー認証アプリケーションメモリにダウンロードし、このユーザー認証アプリケーションを用いて前記運転免許所持者の漢字氏名データと前記多機能携帯電話機所持者の漢字氏名データとを照合し、それらが一致するとき一致データを作成し、それらが異なっているとき不一致データを作成するようになっているクレジットカード発行用審査システム。
（３）
前記多機能携帯電話機における前記運転免許所持者データが、前記運転免許所持者の漢字氏名データの他に、運転免許所持者の住所データおよび生年月日データ、ならびに運転免許証の交付日データおよび運転免許証番号データを備え、前記多機能携帯電話機所持者の属性データが、前記多機能携帯電話機所持者の漢字氏名データの他に、その多機能携帯電話機の携帯電話番号データおよびメールアドレスデータを備えている前記（２）のクレジットカード発行用審査システム。
（４）
前記多機能携帯電話機の前記電話機中央演算回路は、前記不一致データを作成したとき、その旨を前記モニターに表示するようになっている前記（２）または（３）のクレジットカード発行用審査システム。
（５）
前記多機能携帯電話機は、前記主記憶部が記憶する前記メールアドレスデータをメール用アプリケーションソフトに自動的に組み込むことを拒絶する組み込み拒絶機種を含み、
前記基幹系サーバーは、サーバー中央演算回路と、前記多機能携帯電話機から送られてきたデータから該多機能携帯電話機の多機能携帯電話機ＩＤデータおよびメールアドレスデータを記憶するメールアドレス記憶手段とを備え、
少なくとも前記多機能携帯電話機が前記組み込み拒絶機種であった場合に、前記多機能携帯電話機の電話機中央演算回路は、前記主作業用アプリケーションソフト記憶手段から読み出した主作業用アプリケーションソフトにより、前記モニターにメールアドレス取得のための取得指示画面を表示し、作業者がこの画面からメールアドレス取得の指示を行ったとき、前記電話機中央演算回路をして、前記送受信手段からメール用アプリケーションソフトを読み出して、少なくとも多機能携帯電話機ＩＤデータおよびメールアドレスデータを有するメールを作成すると共に、前記モニターに送信のための送信画面を表示し、
作業者がこの送信画面から送信の指示を行ったとき、前記メールを前記基幹系サーバーに送信し、
前記基幹系サーバーは、前記メールを受信し、前記サーバー中央演算回路をして、前記多機能携帯電話機ＩＤに紐付けて、前記メールアドレスデータを前記メールアドレス記憶手段に記憶させると共に、
電話機中央演算回路をして、再び主作業用アプリケーションソフトを読み出して、前記モニターにメールアドレス取得を実行するための取得実行画面を表示し、
作業者がこの取得実行画面からメールアドレス取得実行の指示をしたとき、前記基幹系サーバーは、このメールアドレス取得実行の指示を受けて、前記サーバー中央演算回路をして、前記メールアドレス記憶手段からメールアドレスデータを読み出し、これを前記多機能携帯電話機に送信し、
多機能携帯電話機の電話機中央演算回路は、このメールアドレスデータを前記主作業用アプリケーションソフトに組み込むようになっており、
前記クレジットカード申込データが、前記取得したメールアドレスデータ、前記運転免許所持者データ、前記多機能携帯電話機所持者の属性データ、ならびに前記運転免許所持者データおよび前記多機能携帯電話機所持者の属性データ以外の多機能携帯電話機に手入力で入力されたクレジットカード申込者のその他属性データを備える前記（２）または（３）のクレジットカード発行用審査システム。
（６）
前記多機能携帯電話機は、前記主記憶部が記憶する前記メールアドレスデータをメール用アプリケーションソフトに自動的に組み込むことを拒絶する組み込み拒絶機種を含み、
前記基幹系サーバーは、サーバー中央演算回路と、前記多機能携帯電話機から送られてきたデータから該多機能携帯電話機の多機能携帯電話機ＩＤデータおよびメールアドレスデータを記憶するメールアドレス記憶手段とを備え、
少なくとも前記多機能携帯電話機が前記組み込み拒絶機種であった場合に、前記多機能携帯電話機の電話機中央演算回路は、前記主作業用アプリケーションソフト記憶手段から読み出した主作業用アプリケーションソフトにより、前記モニターにメールアドレス取得のための取得指示画面を表示し、作業者がこの画面からメールアドレス取得の指示を行ったとき、前記電話機中央演算回路をして、前記送受信手段からメール用アプリケーションソフトを読み出して、少なくとも多機能携帯電話機ＩＤデータおよびメールアドレスデータを有するメールを作成すると共に、前記モニターに送信のための送信画面を表示し、
作業者がこの送信画面から送信の指示を行ったとき、前記メールを前記基幹系サーバーに送信し、
前記基幹系サーバーは、前記メールを受信し、前記サーバー中央演算回路をして、前記多機能携帯電話機ＩＤに紐付けて、前記メールアドレスデータを前記メールアドレス記憶手段に記憶させると共に、
電話機中央演算回路をして、再び主作業用アプリケーションソフトを読み出して、前記モニターにメールアドレス取得を実行するための取得実行画面を表示し、
作業者がこの取得実行画面からメールアドレス取得実行の指示をしたとき、前記基幹系サーバーは、このメールアドレス取得実行の指示を受けて、前記サーバー中央演算回路をして、前記メールアドレス記憶手段からメールアドレスデータを読み出し、これを前記多機能携帯電話機に送信し、
多機能携帯電話機の電話機中央演算回路は、このメールアドレスデータを前記主作業用アプリケーションソフトに組み込むようになっており、
前記取得したメールアドレスをクレジットカード申込データに組み込んで、前記多機能携帯電話機がこれを前記基幹系サーバーに送信し、これによってクレジットカード申込データに基づき、クレジットカードの発行の審査を行うクレジットカード発行用審査システムであって、
前記基幹系サーバーは、前記主作業用アプリケーションであるクレジットカード申込用アプリケーションを記憶したクレジットカード申込用アプリケーション記憶部、クレジットカード申込用画面データを記憶したクレジットカード申込用画面データ記憶部、自社情報による２４時間自動審査と、外部照会による所定時間内自動審査を行う自動審査用処理部、審査結果回答部、時間外受付再審査部、再審査結果回答部および郵送カード発行データ生成部を備えている前記（１）または（２）のクレジットカード発行用審査システム。
（７）
顧客が前記多機能携帯電話機を操作することにより、基幹系サーバーのクレジットカード申込用画面データ記憶部からクレジットカード申込用画面データを読み出し、該多機能携帯電話機のモニターにクレジットカード申し込み用画面を表示することができるようになっており、顧客が、このクレジットカード申込用画面により前記その他属性データを入力したとき、前記クレジットカード申込用アプリケーションは、前記運転免許所持者データ、前記多機能携帯電話機所持者の属性データおよびその他属性データを合成して、クレジットカード申込データを作成し、これを前記基幹系サーバーに送信し、該基幹系サーバーは、自動審査用処理部でこのクレジットカード申込データを受け、前記所定時間内であるときには、自社情報による自動審査と外部照会による自動審査からなる通常自動審査をリアルタイムに行い、一方、前記所定時間外であるときには、リアルタイムには、自社情報による自動審査のみの暫定自動審査を行って、この暫定自動審査が否の時以外は外部照会未実施による再審査とするようになっている前記（６）のクレジットカード発行用審査システム。
（８）
前記基幹系サーバーは、前記暫定自動審査による審査結果が否の時以外のときであって、前記所定時間内となったとき、前記時間外受付再審査部によって前記通常自動審査と同様の自動再審査を行うようになっている前記（７）のクレジットカード発行用審査システム。
（９）
前記基幹系サーバーは、前記通常自動審査および暫定自動審査が人的審査を必要とする結果であるとき、人的審査機関の端末に前記クレジットカード申込データを送信するようになっている前記（７）または（８）のクレジットカード発行用審査システム。
（１０）
前記基幹系サーバーは、少なくとも前記通常自動審査が可のとき、前記郵送カード発行データ生成部をして、クレジットカード発行データを生成するようになっている前記（７）〜（９）のいずれかのクレジットカード発行用審査システム。
（１１）
前記基幹系サーバーは、少なくとも前記通常自動審査が可のとき、クレジットカード発行前の通信販売および／または店頭販売における立替払い契約を行うことの出来る仮カード番号を生成する仮カード番号発番部を備えている前記（７）〜（１０）のいずれかのクレジットカード発行用審査システム。
（１２）
前記基幹系サーバーの内部に配置されるか、または該基幹系サーバーに接続されて、前記仮カード番号発番部が生成した仮カード番号データを記憶する仮カード番号データ記憶手段が設けられている（１１）のクレジットカード発行用審査システム。
（１３）
前記基幹系サーバーの内部に配置されるか、または該基幹系サーバーに接続されて、前記郵送カード発行データ生成部が作成した郵送カード発行データを記憶する郵送カード発行データ記憶手段が設けられている前記（７）〜（１２）のいずれかのクレジットカード発行用審査システム。
（１４）
前記基幹系サーバーは、少なくとも前記通常自動審査が可のとき、クレジットカード発行前の通信販売および／または店頭販売における立替払い契約を行うことの出来る仮カード番号を生成する仮カード番号発番部を備えており、前記クレジットカード発行データはカード番号を有しており、このカード番号は、前記仮カード番号とは異なる番号である前記（１０）のクレジットカード発行用審査システム。
（１５）
前記クレジットカード発行データは、基幹系サーバーに接続された郵送カード発行装置に送信されるようになっている前記（１０）または（１４）のクレジットカード発行用審査システム。
（１６）
前記基幹系サーバーには、人的審査を行うための人的審査端末が接続されており、顧客が前記多機能携帯電話機を操作することにより、基幹系サーバーのクレジットカード申込用画面データ記憶部からクレジットカード申込用画面データを読み出し、該多機能携帯電話機のモニターにクレジットカード申し込み用画面を表示することができるようになっており、顧客が、このクレジットカード申込用画面により前記その他属性データを入力したとき、前記クレジットカード申込用アプリケーションは、前記運転免許所持者データ、前記多機能携帯電話機所持者の属性データおよびその他属性データを合成して、クレジットカード申込データを作成し、これを前記基幹系サーバーに送信し、該基幹系サーバーは、自動審査用処理部でこのクレジットカード申込データを受け、前記所定時間内であるときには、自社情報による自動審査と外部照会による自動審査からなる通常自動審査をリアルタイムに行い、この通常自動審査が可の時には、そのデータを前記仮カード番号発番部に送信し、
前記仮カード番号発番部は、前記データを受け、仮カード番号データを生成し、これを顧客の多機能携帯電話機に送信し、
一方、前記所定時間外であるときには、リアルタイムには、自社情報による自動審査のみの暫定自動審査を行って、この暫定自動審査が否の時以外は外部照会未実施による再審査とし、そのデータを仮カード番号発番部およびポイントデータ生成部に送信するとともに、前記所定時間内となったとき、前記時間外受付再審査部によって前記通常自動審査と同様の自動再審査を行うようになっており、前記仮カード番号発番部は、前記データを受け、仮カード番号データを生成し、これを顧客端末に送信するが、この仮カード番号発番部は、前記再審査が可となるまで使用できないようにし、
前記基幹系サーバーは、前記通常自動審査が可のとき、および前記外部照会未実施による再審査が可のとき、郵送カード発行データ生成部をして、クレジットカード発行データを生成するようになっており、前記通常自動審査、暫定自動審査および前記外部照会未実施による再審査が人的審査を必要とする結果であるとき、前記人的審査端末に前記クレジットカード申込データを送信するようになっている前記（１５）のクレジットカード発行用審査システム。
【手続補正書】
【提出日】平成27年3月18日(2015.3.18)
【手続補正１】
【補正対象書類名】特許請求の範囲
【補正対象項目名】全文
【補正方法】変更
【補正の内容】
【特許請求の範囲】
【請求項１】
多機能携帯電話機にダウンロードされる主作業アプリケーションソフトのための簡易メールアドレス取得システムにおいて、
多機能携帯電話機と基幹系サーバーを備え、
前記多機能携帯電話機は、電話機中央演算回路と、該電話機中央演算回路からの指示を受けて画像を表示するモニターと、少なくとも多機能携帯電話機ＩＤデータおよびメールアドレスデータを記憶した主記憶部と、主作業を実行するための主作業用アプリケーションソフトを記憶する主作業用アプリケーションソフト記憶手段と、メール用アプリケーションソフトを記憶した送受信手段と、前記作業者の属性データ等を入力するための入力手段とを備え、
前記多機能携帯電話機は、前記主記憶部が記憶する前記メールアドレスデータをメール用アプリケーションソフトに自動的に組み込むことを拒絶する組み込み拒絶機種であり、
前記基幹系サーバーは、サーバー中央演算回路と、前記多機能携帯電話機から送られてきたデータから該多機能携帯電話機の多機能携帯電話機ＩＤデータおよびメールアドレスデータを記憶するメールアドレス記憶手段とを備え、
前記多機能携帯電話機の電話機中央演算回路は、前記主作業用アプリケーションソフト記憶手段から読み出した主作業用アプリケーションソフトにより、前記モニターにメールアドレス取得のための取得指示画面を表示し、作業者がこの画面からメールアドレス取得の指示を行ったとき、前記電話機中央演算回路をして、前記送受信手段からメール用アプリケーションソフトを読み出して、少なくとも多機能携帯電話機ＩＤデータおよびメールアドレスデータを有するメールを作成すると共に、前記モニターに送信のための送信画面を表示し、
作業者がこの送信画面から送信の指示を行ったとき、前記メールを前記基幹系サーバーに送信し、
前記基幹系サーバーは、前記メールを受信し、前記サーバー中央演算回路をして、前記多機能携帯電話機ＩＤに紐付けて、前記メールアドレスデータを前記メールアドレス記憶手段に記憶させると共に、
電話機中央演算回路をして、再び主作業用アプリケーションソフトを読み出して、前記モニターにメールアドレス取得を実行するための取得実行画面を表示し、
作業者がこの取得実行画面からメールアドレス取得実行の指示をしたとき、前記基幹系サーバーは、このメールアドレス取得実行の指示を受けて、前記サーバー中央演算回路をして、前記メールアドレス記憶手段からメールアドレスデータを読み出し、これを前記多機能携帯電話機に送信し、
多機能携帯電話機の電話機中央演算回路は、このメールアドレスデータを前記主作業用アプリケーションソフトに組み込むようになっている
ことを特徴とする簡易メールアドレス取得システム。
【請求項２】
多機能携帯電話機と基幹系サーバーを備え、
前記多機能携帯電話機は、電話機中央演算回路と、該電話機中央演算回路からの指示を受けて画像を表示するモニターと、少なくとも多機能携帯電話機ＩＤデータおよびメールアドレスデータを記憶した主記憶部と、クレジットカード申込用アプリケーションを記憶するクレジットカード申込用アプリケーション記憶手段と、メール用アプリケーションソフトを記憶した送受信手段と、前記作業者の属性データ等を入力するための入力手段とを備え、
前記クレジットカード申込用アプリケーションに従って作成されたクレジットカード申込用データを前記多機能携帯電話機から前記基幹系サーバーに送信して、クレジットカードの発行申込を行うクレジットカード発行用審査システムにおいて、
前記多機能携帯電話機が、更に運転免許証を撮像して、少なくとも運転免許所持者の漢字氏名データを有する運転免許所持者データとし、該運転免許所持者データを前記電話機中央演算回路に送信する撮像手段、およびユーザー認証アプリケーションを記憶するユーザー認証アプリケーションメモリを備え、前記基幹系サーバーは、ユーザー認証アプリケーションを記憶した基幹系ユーザー認証アプリケーションメモリを備え、前記主記憶部は、更に、少なくとも多機能携帯電話機所持者の漢字氏名データを含む多機能携帯電話機所持者の属性データを記憶しており、前記電話機中央演算回路は、前記基幹系ユーザー認証アプリケーションメモリからのユーザー認証アプリケーションを前記ユーザー認証アプリケーションメモリにダウンロードし、このユーザー認証アプリケーションを用いて前記運転免許所持者の漢字氏名データと前記多機能携帯電話機所持者の漢字氏名データとを照合し、それらが一致するとき一致データを作成し、それらが異なっているとき不一致データを作成するようになっているクレジットカード発行用審査システム。
【請求項３】
前記多機能携帯電話機における前記運転免許所持者データが、前記運転免許所持者の漢字氏名データの他に、運転免許所持者の住所データおよび生年月日データ、ならびに運転免許証の交付日データおよび運転免許証番号データを備え、前記多機能携帯電話機所持者の属性データが、前記多機能携帯電話機所持者の漢字氏名データの他に、その多機能携帯電話機の携帯電話番号データおよびメールアドレスデータを備えている請求項２のクレジットカード発行用審査システム。
【請求項４】
前記多機能携帯電話機の前記電話機中央演算回路は、前記不一致データを作成したとき、その旨を前記モニターに表示するようになっている請求項２または３のクレジットカード発行用審査システム。
【請求項５】
前記多機能携帯電話機は、前記主記憶部が記憶する前記メールアドレスデータをメール用アプリケーションソフトに自動的に組み込むことを拒絶する組み込み拒絶機種であり、
前記基幹系サーバーは、サーバー中央演算回路と、前記多機能携帯電話機から送られてきたデータから該多機能携帯電話機の多機能携帯電話機ＩＤデータおよびメールアドレスデータを記憶するメールアドレス記憶手段と、主作業を実行するための主作業用アプリケーションソフトを記憶する主作業用アプリケーションソフト記憶手段とを備え、
少なくとも前記多機能携帯電話機が前記組み込み拒絶機種であった場合に、前記多機能携帯電話機の電話機中央演算回路は、前記主作業用アプリケーションソフト記憶手段から読み出した主作業用アプリケーションソフトにより、前記モニターにメールアドレス取得のための取得指示画面を表示し、作業者がこの画面からメールアドレス取得の指示を行ったとき、前記電話機中央演算回路をして、前記送受信手段からメール用アプリケーションソフトを読み出して、少なくとも多機能携帯電話機ＩＤデータおよびメールアドレスデータを有するメールを作成すると共に、前記モニターに送信のための送信画面を表示し、
作業者がこの送信画面から送信の指示を行ったとき、前記メールを前記基幹系サーバーに送信し、
前記基幹系サーバーは、前記メールを受信し、前記サーバー中央演算回路をして、前記多機能携帯電話機ＩＤに紐付けて、前記メールアドレスデータを前記メールアドレス記憶手段に記憶させると共に、
電話機中央演算回路をして、再び主作業用アプリケーションソフトを読み出して、前記モニターにメールアドレス取得を実行するための取得実行画面を表示し、
作業者がこの取得実行画面からメールアドレス取得実行の指示をしたとき、前記基幹系サーバーは、このメールアドレス取得実行の指示を受けて、前記サーバー中央演算回路をして、前記メールアドレス記憶手段からメールアドレスデータを読み出し、これを前記多機能携帯電話機に送信し、
多機能携帯電話機の電話機中央演算回路は、このメールアドレスデータを前記主作業用アプリケーションソフトに組み込むようになっており、
前記クレジットカード申込用データが、前記取得したメールアドレスデータ、前記運転免許所持者データ、前記多機能携帯電話機所持者の属性データ、ならびに前記運転免許所持者データおよび前記多機能携帯電話機所持者の属性データ以外の多機能携帯電話機に手入力で入力されたクレジットカード申込者のその他属性データを備える請求項２または３のクレジットカード発行用審査システム。
【請求項６】
前記多機能携帯電話機は、前記主記憶部が記憶する前記メールアドレスデータをメール用アプリケーションソフトに自動的に組み込むことを拒絶する組み込み拒絶機種であり、
前記基幹系サーバーは、サーバー中央演算回路と、前記多機能携帯電話機から送られてきたデータから該多機能携帯電話機の多機能携帯電話機ＩＤデータおよびメールアドレスデータを記憶するメールアドレス記憶手段と、主作業を実行するための主作業用アプリケーションソフトを記憶する主作業用アプリケーションソフト記憶手段とを備え、
少なくとも前記多機能携帯電話機が前記組み込み拒絶機種であった場合に、前記多機能携帯電話機の電話機中央演算回路は、前記主作業用アプリケーションソフト記憶手段から読み出した主作業用アプリケーションソフトにより、前記モニターにメールアドレス取得のための取得指示画面を表示し、作業者がこの画面からメールアドレス取得の指示を行ったとき、前記電話機中央演算回路をして、前記送受信手段からメール用アプリケーションソフトを読み出して、少なくとも多機能携帯電話機ＩＤデータおよびメールアドレスデータを有するメールを作成すると共に、前記モニターに送信のための送信画面を表示し、
作業者がこの送信画面から送信の指示を行ったとき、前記メールを前記基幹系サーバーに送信し、
前記基幹系サーバーは、前記メールを受信し、前記サーバー中央演算回路をして、前記多機能携帯電話機ＩＤに紐付けて、前記メールアドレスデータを前記メールアドレス記憶手段に記憶させると共に、
電話機中央演算回路をして、再び主作業用アプリケーションソフトを読み出して、前記モニターにメールアドレス取得を実行するための取得実行画面を表示し、
作業者がこの取得実行画面からメールアドレス取得実行の指示をしたとき、前記基幹系サーバーは、このメールアドレス取得実行の指示を受けて、前記サーバー中央演算回路をして、前記メールアドレス記憶手段からメールアドレスデータを読み出し、これを前記多機能携帯電話機に送信し、
多機能携帯電話機の電話機中央演算回路は、このメールアドレスデータを前記主作業用アプリケーションソフトに組み込むようになっており、
前記取得したメールアドレスをクレジットカード申込データに組み込んで、前記多機能携帯電話機がこれを前記基幹系サーバーに送信し、これによってクレジットカード申込データに基づき、クレジットカードの発行の審査を行うクレジットカード発行用審査システムであって、
前記基幹系サーバーは、前記主作業用アプリケーションであるクレジットカード申込用アプリケーションを記憶したクレジットカード申込用アプリケーション記憶部、クレジットカード申込用画面データを記憶したクレジットカード申込用画面データ記憶部、自社情報による２４時間自動審査と、外部照会による所定時間内自動審査を行う自動審査用処理部、審査結果回答部、時間外受付再審査部、再審査結果回答部および郵送カード発行データ生成部を備えている請求項２または３のクレジットカード発行用審査システム。
【請求項７】
顧客が前記多機能携帯電話機を操作することにより、基幹系サーバーのクレジットカード申込用画面データ記憶部からクレジットカード申込用画面データを読み出し、該多機能携帯電話機のモニターにクレジットカード申し込み用画面を表示することができるようになっており、顧客が、このクレジットカード申込用画面により前記その他属性データを入力したとき、前記クレジットカード申込用アプリケーションは、前記運転免許所持者データ、前記多機能携帯電話機所持者の属性データおよびその他属性データを合成して、クレジットカード申込データを作成し、これを前記基幹系サーバーに送信し、該基幹系サーバーは、自動審査用処理部でこのクレジットカード申込データを受け、前記所定時間内であるときには、自社情報による自動審査と外部照会による自動審査からなる通常自動審査をリアルタイムに行い、一方、前記所定時間外であるときには、リアルタイムには、自社情報による自動審査のみの暫定自動審査を行って、この暫定自動審査が否の時以外は外部照会未実施による再審査とするようになっている請求項６のクレジットカード発行用審査システム。
【請求項８】
前記基幹系サーバーは、前記暫定自動審査による審査結果が否の時以外のときであって、前記所定時間内となったとき、前記時間外受付再審査部によって前記通常自動審査と同様の自動再審査を行うようになっている請求項７のクレジットカード発行用審査システム。
【請求項９】
前記基幹系サーバーは、前記通常自動審査および暫定自動審査が人的審査を必要とする結果であるとき、人的審査機関の端末に前記クレジットカード申込データを送信するようになっている請求項７または８のクレジットカード発行用審査システム。
【請求項１０】
前記基幹系サーバーは、少なくとも前記通常自動審査が可のとき、前記郵送カード発行データ生成部をして、クレジットカード発行データを生成するようになっている請求項７〜９のいずれかのクレジットカード発行用審査システム。
【請求項１１】
前記基幹系サーバーは、少なくとも前記通常自動審査が可のとき、クレジットカード発行前の通信販売および／または店頭販売における立替払い契約を行うことの出来る仮カード番号を生成する仮カード番号発番部を備えている請求項７〜１０のいずれかのクレジットカード発行用審査システム。
【請求項１２】
前記基幹系サーバーの内部に配置されるか、または該基幹系サーバーに接続されて、前記仮カード番号発番部が生成した仮カード番号データを記憶する仮カード番号データ記憶手段が設けられている請求項１１のクレジットカード発行用審査システム。
【請求項１３】
前記基幹系サーバーの内部に配置されるか、または該基幹系サーバーに接続されて、前記郵送カード発行データ生成部が作成した郵送カード発行データを記憶する郵送カード発行データ記憶手段が設けられている請求項７〜１２のいずれかのクレジットカード発行用審査システム。
【請求項１４】
前記基幹系サーバーは、少なくとも前記通常自動審査が可のとき、クレジットカード発行前の通信販売および／または店頭販売における立替払い契約を行うことの出来る仮カード番号を生成する仮カード番号発番部を備えており、前記クレジットカード発行データはカード番号を有しており、このカード番号は、前記仮カード番号とは異なる番号である請求項１０のクレジットカード発行用審査システム。
【請求項１５】
前記クレジットカード発行データは、基幹系サーバーに接続された郵送カード発行装置に送信されるようになっている請求項１０または１４のクレジットカード発行用審査システム。
【請求項１６】
前記基幹系サーバーには、人的審査を行うための人的審査端末が接続されており、顧客が前記多機能携帯電話機を操作することにより、基幹系サーバーのクレジットカード申込用画面データ記憶部からクレジットカード申込用画面データを読み出し、該多機能携帯電話機のモニターにクレジットカード申し込み用画面を表示することができるようになっており、顧客が、このクレジットカード申込用画面により前記その他属性データを入力したとき、前記クレジットカード申込用アプリケーションは、前記運転免許所持者データ、前記多機能携帯電話機所持者の属性データおよびその他属性データを合成して、クレジットカード申込データを作成し、これを前記基幹系サーバーに送信し、該基幹系サーバーは、自動審査用処理部でこのクレジットカード申込データを受け、前記所定時間内であるときには、自社情報による自動審査と外部照会による自動審査からなる通常自動審査をリアルタイムに行い、この通常自動審査が可の時には、そのデータを前記仮カード番号発番部に送信し、
前記仮カード番号発番部は、前記データを受け、仮カード番号データを生成し、これを顧客の多機能携帯電話機に送信し、
一方、前記所定時間外であるときには、リアルタイムには、自社情報による自動審査のみの暫定自動審査を行って、この暫定自動審査が否の時以外は外部照会未実施による再審査とし、そのデータを仮カード番号発番部およびポイントデータ生成部に送信するとともに、前記所定時間内となったとき、前記時間外受付再審査部によって前記通常自動審査と同様の自動再審査を行うようになっており、前記仮カード番号発番部は、前記データを受け、仮カード番号データを生成し、これを顧客端末に送信するが、この仮カード番号発番部は、前記再審査が可となるまで使用できないようにし、
前記基幹系サーバーは、前記通常自動審査が可のとき、および前記外部照会未実施による再審査が可のとき、郵送カード発行データ生成部をして、クレジットカード発行データを生成するようになっており、前記通常自動審査、暫定自動審査および前記外部照会未実施による再審査が人的審査を必要とする結果であるとき、前記人的審査端末に前記クレジットカード申込データを送信するようになっている請求項１４のクレジットカード発行用審査システム。
【手続補正２】
【補正対象書類名】明細書
【補正対象項目名】００１０
【補正方法】変更
【補正の内容】
【００１０】
上記の目的は、本発明の下記（１）〜（１６）の構成の簡易メールアドレス取得システムおよびそれを用いたクレジットカード発行用審査システムにより達成される。
（１）
多機能携帯電話機にダウンロードされる主作業アプリケーションソフトのための簡易メールアドレス取得システムにおいて、
多機能携帯電話機と基幹系サーバーを備え、
前記多機能携帯電話機は、電話機中央演算回路と、該電話機中央演算回路からの指示を受けて画像を表示するモニターと、少なくとも多機能携帯電話機ＩＤデータおよびメールアドレスデータを記憶した主記憶部と、主作業を実行するための主作業用アプリケーションソフトを記憶する主作業用アプリケーションソフト記憶手段と、メール用アプリケーションソフトを記憶した送受信手段と、前記作業者の属性データ等を入力するための入力手段とを備え、
前記多機能携帯電話機は、前記主記憶部が記憶する前記メールアドレスデータをメール用アプリケーションソフトに自動的に組み込むことを拒絶する組み込み拒絶機種であり、
前記基幹系サーバーは、サーバー中央演算回路と、前記多機能携帯電話機から送られてきたデータから該多機能携帯電話機の多機能携帯電話機ＩＤデータおよびメールアドレスデータを記憶するメールアドレス記憶手段とを備え、
前記多機能携帯電話機の電話機中央演算回路は、前記主作業用アプリケーションソフト記憶手段から読み出した主作業用アプリケーションソフトにより、前記モニターにメールアドレス取得のための取得指示画面を表示し、作業者がこの画面からメールアドレス取得の指示を行ったとき、前記電話機中央演算回路をして、前記送受信手段からメール用アプリケーションソフトを読み出して、少なくとも多機能携帯電話機ＩＤデータおよびメールアドレスデータを有するメールを作成すると共に、前記モニターに送信のための送信画面を表示し、
作業者がこの送信画面から送信の指示を行ったとき、前記メールを前記基幹系サーバーに送信し、
前記基幹系サーバーは、前記メールを受信し、前記サーバー中央演算回路をして、前記多機能携帯電話機ＩＤに紐付けて、前記メールアドレスデータを前記メールアドレス記憶手段に記憶させると共に、
電話機中央演算回路をして、再び主作業用アプリケーションソフトを読み出して、前記モニターにメールアドレス取得を実行するための取得実行画面を表示し、
作業者がこの取得実行画面からメールアドレス取得実行の指示をしたとき、前記基幹系サーバーは、このメールアドレス取得実行の指示を受けて、前記サーバー中央演算回路をして、前記メールアドレス記憶手段からメールアドレスデータを読み出し、これを前記多機能携帯電話機に送信し、
多機能携帯電話機の電話機中央演算回路は、このメールアドレスデータを前記主作業用アプリケーションソフトに組み込むようになっている
ことを特徴とする簡易メールアドレス取得システム。
（２）
多機能携帯電話機と基幹系サーバーを備え、
前記多機能携帯電話機は、電話機中央演算回路と、該電話機中央演算回路からの指示を受けて画像を表示するモニターと、少なくとも多機能携帯電話機ＩＤデータおよびメールアドレスデータを記憶した主記憶部と、クレジットカード申込用アプリケーションを記憶するクレジットカード申込用アプリケーション記憶手段と、メール用アプリケーションソフトを記憶した送受信手段と、前記作業者の属性データ等を入力するための入力手段とを備え、
前記クレジットカード申込用アプリケーションに従って作成されたクレジットカード申込用データを前記多機能携帯電話機から前記基幹系サーバーに送信して、クレジットカードの発行申込を行うクレジットカード発行用審査システムにおいて、
前記多機能携帯電話機が、更に運転免許証を撮像して、少なくとも運転免許所持者の漢字氏名データを有する運転免許所持者データとし、該運転免許所持者データを前記電話機中央演算回路に送信する撮像手段、およびユーザー認証アプリケーションを記憶するユーザー認証アプリケーションメモリを備え、前記基幹系サーバーは、ユーザー認証アプリケーションを記憶した基幹系ユーザー認証アプリケーションメモリを備え、前記主記憶部は、更に、少なくとも多機能携帯電話機所持者の漢字氏名データを含む多機能携帯電話機所持者の属性データを記憶しており、前記電話機中央演算回路は、前記基幹系ユーザー認証アプリケーションメモリからのユーザー認証アプリケーションを前記ユーザー認証アプリケーションメモリにダウンロードし、このユーザー認証アプリケーションを用いて前記運転免許所持者の漢字氏名データと前記多機能携帯電話機所持者の漢字氏名データとを照合し、それらが一致するとき一致データを作成し、それらが異なっているとき不一致データを作成するようになっているクレジットカード発行用審査システム。
（３）
前記多機能携帯電話機における前記運転免許所持者データが、前記運転免許所持者の漢字氏名データの他に、運転免許所持者の住所データおよび生年月日データ、ならびに運転免許証の交付日データおよび運転免許証番号データを備え、前記多機能携帯電話機所持者の属性データが、前記多機能携帯電話機所持者の漢字氏名データの他に、その多機能携帯電話機の携帯電話番号データおよびメールアドレスデータを備えている前記（２）のクレジットカード発行用審査システム。
（４）
前記多機能携帯電話機の前記電話機中央演算回路は、前記不一致データを作成したとき、その旨を前記モニターに表示するようになっている前記（２）または（３）のクレジットカード発行用審査システム。
（５）
前記多機能携帯電話機は、前記主記憶部が記憶する前記メールアドレスデータをメール用アプリケーションソフトに自動的に組み込むことを拒絶する組み込み拒絶機種であり、
前記基幹系サーバーは、サーバー中央演算回路と、前記多機能携帯電話機から送られてきたデータから該多機能携帯電話機の多機能携帯電話機ＩＤデータおよびメールアドレスデータを記憶するメールアドレス記憶手段と、主作業を実行するための主作業用アプリケーションソフトを記憶する主作業用アプリケーションソフト記憶手段とを備え、
少なくとも前記多機能携帯電話機が前記組み込み拒絶機種であった場合に、前記多機能携帯電話機の電話機中央演算回路は、前記主作業用アプリケーションソフト記憶手段から読み出した主作業用アプリケーションソフトにより、前記モニターにメールアドレス取得のための取得指示画面を表示し、作業者がこの画面からメールアドレス取得の指示を行ったとき、前記電話機中央演算回路をして、前記送受信手段からメール用アプリケーションソフトを読み出して、少なくとも多機能携帯電話機ＩＤデータおよびメールアドレスデータを有するメールを作成すると共に、前記モニターに送信のための送信画面を表示し、
作業者がこの送信画面から送信の指示を行ったとき、前記メールを前記基幹系サーバーに送信し、
前記基幹系サーバーは、前記メールを受信し、前記サーバー中央演算回路をして、前記多機能携帯電話機ＩＤに紐付けて、前記メールアドレスデータを前記メールアドレス記憶手段に記憶させると共に、
電話機中央演算回路をして、再び主作業用アプリケーションソフトを読み出して、前記モニターにメールアドレス取得を実行するための取得実行画面を表示し、
作業者がこの取得実行画面からメールアドレス取得実行の指示をしたとき、前記基幹系サーバーは、このメールアドレス取得実行の指示を受けて、前記サーバー中央演算回路をして、前記メールアドレス記憶手段からメールアドレスデータを読み出し、これを前記多機能携帯電話機に送信し、
多機能携帯電話機の電話機中央演算回路は、このメールアドレスデータを前記主作業用アプリケーションソフトに組み込むようになっており、
前記クレジットカード申込用データが、前記取得したメールアドレスデータ、前記運転免許所持者データ、前記多機能携帯電話機所持者の属性データ、ならびに前記運転免許所持者データおよび前記多機能携帯電話機所持者の属性データ以外の多機能携帯電話機に手入力で入力されたクレジットカード申込者のその他属性データを備える前記（２）または（３）のクレジットカード発行用審査システム。
（６）
前記多機能携帯電話機は、前記主記憶部が記憶する前記メールアドレスデータをメール用アプリケーションソフトに自動的に組み込むことを拒絶する組み込み拒絶機種であり、
前記基幹系サーバーは、サーバー中央演算回路と、前記多機能携帯電話機から送られてきたデータから該多機能携帯電話機の多機能携帯電話機ＩＤデータおよびメールアドレスデータを記憶するメールアドレス記憶手段と、主作業を実行するための主作業用アプリケーションソフトを記憶する主作業用アプリケーションソフト記憶手段とを備え、
少なくとも前記多機能携帯電話機が前記組み込み拒絶機種であった場合に、前記多機能携帯電話機の電話機中央演算回路は、前記主作業用アプリケーションソフト記憶手段から読み出した主作業用アプリケーションソフトにより、前記モニターにメールアドレス取得のための取得指示画面を表示し、作業者がこの画面からメールアドレス取得の指示を行ったとき、前記電話機中央演算回路をして、前記送受信手段からメール用アプリケーションソフトを読み出して、少なくとも多機能携帯電話機ＩＤデータおよびメールアドレスデータを有するメールを作成すると共に、前記モニターに送信のための送信画面を表示し、
作業者がこの送信画面から送信の指示を行ったとき、前記メールを前記基幹系サーバーに送信し、
前記基幹系サーバーは、前記メールを受信し、前記サーバー中央演算回路をして、前記多機能携帯電話機ＩＤに紐付けて、前記メールアドレスデータを前記メールアドレス記憶手段に記憶させると共に、
電話機中央演算回路をして、再び主作業用アプリケーションソフトを読み出して、前記モニターにメールアドレス取得を実行するための取得実行画面を表示し、
作業者がこの取得実行画面からメールアドレス取得実行の指示をしたとき、前記基幹系サーバーは、このメールアドレス取得実行の指示を受けて、前記サーバー中央演算回路をして、前記メールアドレス記憶手段からメールアドレスデータを読み出し、これを前記多機能携帯電話機に送信し、
多機能携帯電話機の電話機中央演算回路は、このメールアドレスデータを前記主作業用アプリケーションソフトに組み込むようになっており、
前記取得したメールアドレスをクレジットカード申込データに組み込んで、前記多機能携帯電話機がこれを前記基幹系サーバーに送信し、これによってクレジットカード申込データに基づき、クレジットカードの発行の審査を行うクレジットカード発行用審査システムであって、
前記基幹系サーバーは、前記主作業用アプリケーションであるクレジットカード申込用アプリケーションを記憶したクレジットカード申込用アプリケーション記憶部、クレジットカード申込用画面データを記憶したクレジットカード申込用画面データ記憶部、自社情報による２４時間自動審査と、外部照会による所定時間内自動審査を行う自動審査用処理部、審査結果回答部、時間外受付再審査部、再審査結果回答部および郵送カード発行データ生成部を備えている前記（２）または（３）のクレジットカード発行用審査システム。
（７）
顧客が前記多機能携帯電話機を操作することにより、基幹系サーバーのクレジットカード申込用画面データ記憶部からクレジットカード申込用画面データを読み出し、該多機能携帯電話機のモニターにクレジットカード申し込み用画面を表示することができるようになっており、顧客が、このクレジットカード申込用画面により前記その他属性データを入力したとき、前記クレジットカード申込用アプリケーションは、前記運転免許所持者データ、前記多機能携帯電話機所持者の属性データおよびその他属性データを合成して、クレジットカード申込データを作成し、これを前記基幹系サーバーに送信し、該基幹系サーバーは、自動審査用処理部でこのクレジットカード申込データを受け、前記所定時間内であるときには、自社情報による自動審査と外部照会による自動審査からなる通常自動審査をリアルタイムに行い、一方、前記所定時間外であるときには、リアルタイムには、自社情報による自動審査のみの暫定自動審査を行って、この暫定自動審査が否の時以外は外部照会未実施による再審査とするようになっている前記（６）のクレジットカード発行用審査システム。
（８）
前記基幹系サーバーは、前記暫定自動審査による審査結果が否の時以外のときであって、前記所定時間内となったとき、前記時間外受付再審査部によって前記通常自動審査と同様の自動再審査を行うようになっている前記（７）のクレジットカード発行用審査システム。
（９）
前記基幹系サーバーは、前記通常自動審査および暫定自動審査が人的審査を必要とする結果であるとき、人的審査機関の端末に前記クレジットカード申込データを送信するようになっている前記（７）または（８）のクレジットカード発行用審査システム。
（１０）
前記基幹系サーバーは、少なくとも前記通常自動審査が可のとき、前記郵送カード発行データ生成部をして、クレジットカード発行データを生成するようになっている前記（７）〜（９）のいずれかのクレジットカード発行用審査システム。
（１１）
前記基幹系サーバーは、少なくとも前記通常自動審査が可のとき、クレジットカード発行前の通信販売および／または店頭販売における立替払い契約を行うことの出来る仮カード番号を生成する仮カード番号発番部を備えている前記（７）〜（１０）のいずれかのクレジットカード発行用審査システム。
（１２）
前記基幹系サーバーの内部に配置されるか、または該基幹系サーバーに接続されて、前記仮カード番号発番部が生成した仮カード番号データを記憶する仮カード番号データ記憶手段が設けられている（１１）のクレジットカード発行用審査システム。
（１３）
前記基幹系サーバーの内部に配置されるか、または該基幹系サーバーに接続されて、前記郵送カード発行データ生成部が作成した郵送カード発行データを記憶する郵送カード発行データ記憶手段が設けられている前記（７）〜（１２）のいずれかのクレジットカード発行用審査システム。
（１４）
前記基幹系サーバーは、少なくとも前記通常自動審査が可のとき、クレジットカード発行前の通信販売および／または店頭販売における立替払い契約を行うことの出来る仮カード番号を生成する仮カード番号発番部を備えており、前記クレジットカード発行データはカード番号を有しており、このカード番号は、前記仮カード番号とは異なる番号である前記（１０）のクレジットカード発行用審査システム。
（１５）
前記クレジットカード発行データは、基幹系サーバーに接続された郵送カード発行装置に送信されるようになっている前記（１０）または（１４）のクレジットカード発行用審査システム。
（１６）
前記基幹系サーバーには、人的審査を行うための人的審査端末が接続されており、顧客が前記多機能携帯電話機を操作することにより、基幹系サーバーのクレジットカード申込用画面データ記憶部からクレジットカード申込用画面データを読み出し、該多機能携帯電話機のモニターにクレジットカード申し込み用画面を表示することができるようになっており、顧客が、このクレジットカード申込用画面により前記その他属性データを入力したとき、前記クレジットカード申込用アプリケーションは、前記運転免許所持者データ、前記多機能携帯電話機所持者の属性データおよびその他属性データを合成して、クレジットカード申込データを作成し、これを前記基幹系サーバーに送信し、該基幹系サーバーは、自動審査用処理部でこのクレジットカード申込データを受け、前記所定時間内であるときには、自社情報による自動審査と外部照会による自動審査からなる通常自動審査をリアルタイムに行い、この通常自動審査が可の時には、そのデータを前記仮カード番号発番部に送信し、
前記仮カード番号発番部は、前記データを受け、仮カード番号データを生成し、これを顧客の多機能携帯電話機に送信し、
一方、前記所定時間外であるときには、リアルタイムには、自社情報による自動審査のみの暫定自動審査を行って、この暫定自動審査が否の時以外は外部照会未実施による再審査とし、そのデータを仮カード番号発番部およびポイントデータ生成部に送信するとともに、前記所定時間内となったとき、前記時間外受付再審査部によって前記通常自動審査と同様の自動再審査を行うようになっており、前記仮カード番号発番部は、前記データを受け、仮カード番号データを生成し、これを顧客端末に送信するが、この仮カード番号発番部は、前記再審査が可となるまで使用できないようにし、
前記基幹系サーバーは、前記通常自動審査が可のとき、および前記外部照会未実施による再審査が可のとき、郵送カード発行データ生成部をして、クレジットカード発行データを生成するようになっており、前記通常自動審査、暫定自動審査および前記外部照会未実施による再審査が人的審査を必要とする結果であるとき、前記人的審査端末に前記クレジットカード申込データを送信するようになっている前記（１４）のクレジットカード発行用審査システム。